(57)【特許請求の範囲】
【請求項１】
実質的に直方体の形状を有しており、長軸（Ｚ１、Ｚ２、Ｚ３、Ｚ４）に沿って伸びており、煙草製品を少なくとも部分的に収納する収納本体（１０３、２０３、３０３、４０３）と、閉鎖本体（１０４、２０４、３０４、４０４）とを備えており、上記閉鎖本体は、上記煙草製品へのアクセスを防止するか、または可能にするように、上記収納本体（１０３、２０３、３０３、４０３）と接続されており、上記閉鎖本体（１０４、２０４、３０４、４０４）は、前面（１１５、２１５、３８７、４８７）と、１対の側面（１１６、２１６、３８９、４８９）とを含んでおり、上記１対の側面のそれぞれは、互いに対向しており、上記前面（１１５、２１５、３８７、４８７）の対辺から伸びている、煙草製品用の箱（１０１、１０１ａ、１０１ｂ、１０１ｃ、１０１ｄ、１０１ｅ、２０１、３０１、４０１）であって、
上記側面（１１６、２１６、３８９、４８９）のそれぞれは、当該側面（１１６、２１６、３８９、４８９）のそれぞれが外側の伸長部（１５４、２５４、３８６、４８６）および内側の硬化部（１２４、２２４、３２４、４２４）によって少なくとも部分的に形成されるようにして、上記前面（１１５、２１５、３８７、４８７）の内面（１１９、２１９、３１９、４１９）に固定可能な固定部（１２０、２２０、３２０、４２０）を備えており、上記外側の伸長部と、上記内側の硬化部とは、間に少なくとも部分的に長軸方向の隙間（１２６、２２６、３２６、４２６）を形成するために互いに接続されており、上記長軸方向の隙間は、上記箱（１０１、１０１ａ、１０１ｂ、１０１ｃ、１０１ｄ、１０１ｅ、２０１、３０１、４０１）が閉鎖配置であって、上記収納本体（１０３、２０３、３０３、４０３）が上記煙草製品へのアクセスを防止するときに、上記長軸（Ｚ１、Ｚ２、Ｚ３、Ｚ４）と実質的に平行となるように形成されていることを特徴としている煙草製品用の箱（１０１、１０１ａ、１０１ｂ、１０１ｃ、１０１ｄ、１０１ｅ、２０１、３０１、４０１）。
【請求項２】
上記内側の硬化部（１２４、２２４、３２４、４２４）のそれぞれは、上記固定部（１２０、２２０、３２０、４２０）のうち対応する１つと、上記外側の伸長部（１５４、２５４、３８６、４８６）のうち対応する１つとの間に挿入されており、当該内側の硬化部は、当該固定部と当該外側の伸長部とを接続している、請求項１に記載の箱（１０１、１０１ａ、１０１ｂ、１０１ｃ、１０１ｄ、１０１ｅ、２０１、３０１、４０１）。
【請求項３】
上記外側の伸長部（１５４、２５４、３８６、４８６）のそれぞれは、上記前面（１１５、２１５、３８７、４８７）のうち対応する１つと、上記内側の硬化部（１２４、２２４、３２４、４２４）のうち対応する１つとの間に挿入されており、当該外側の伸長部は、当該前面と当該内側の硬化部とを接続している、請求項１〜２のいずれか１項に記載の箱（１０１、１０１ａ、１０１ｂ、１０１ｃ、１０１ｄ、１０１ｅ、２０１、３０１、４０１）。
【請求項４】
上記外側の伸長部（１５４、２５４、３８６、４８６）のそれぞれは、少なくとも部分的に湾曲している、請求項１〜３のいずれか１項に記載の箱（１０１、１０１ａ、１０１ｂ、１０１ｃ、１０１ｄ、１０１ｅ、２０１、３０１、４０１）。
【請求項５】
上記外側の伸長部（１５４、２５４、３８６、４８６）のそれぞれは、実質的に平坦であり、上記前面（１１５、２１５、３８７、４８７）のうち対応する１つに対して、約０°と約１８０°との間に含まれる角度（α）、特に約９０°または約１３５°傾けられている、請求項１〜３のいずれか１項に記載の箱（１０１、１０１ａ、１０１ｂ、１０１ｃ、１０１ｄ、１０１ｅ、２０１、３０１、４０１）。
【請求項６】
上記固定部（１２０、２２０、３２０、４２０）は、上記長軸（Ｚ１、Ｚ２、Ｚ３、Ｚ４）と実質的に平行に伸びているそれぞれの第１の端部（１２１、２２１、３２１、４２１）を備えている、請求項１〜５のいずれか１項に記載の箱（１０１、１０１ａ、１０１ｂ、１０１ｃ、１０１ｄ、１０１ｅ、２０１、３０１、４０１）。
【請求項７】
上記第１の端部（１２１、２２１、３２１、４２１）は互いに近くに位置しており、上記固定部（１２０、２２０、３２０、４２０）は、実質的に上記内面（１１９、２１９、３１９、４１９）の幅の全体にわたって広がっている、請求項６に記載の箱（１０１、１０１ａ、１０１ｂ、１０１ｃ、１０１ｄ、１０１ｅ、２０１、３０１、４０１）。
【請求項８】
上記固定部（１２０）は、上記長軸（Ｚ１）を横切って伸びているそれぞれの第２の端部（１２２）を備えており、上記第２の端部（１２２）は、折り畳まれて上記内面（１１９）に固定されている上記前面（１１５）の先端壁（１１８）の第３の端部（１２３）の近くに位置している、請求項１〜７のいずれか１項に記載の箱（１０１、１０１ａ、１０１ｂ、１０１ｃ、１０１ｄ、１０１ｅ）。
【請求項９】
上記側面（１１６、２１６）のそれぞれは、三角形状を有している拡張部（１５３、２５３）を備えており、上記拡張部は、上記外側の伸長部（１５４、２５４）のうち１つと接続されており、上記拡張部（１５３、２５３）は、上記閉鎖本体（１０４、２０４）の上面（１１４、２１４）と隣接している、請求項１〜８のいずれか１項に記載の箱（１０１、１０１ａ、１０１ｂ、１０１ｃ、１０１ｄ、１０１ｅ、２０１）。
【請求項１０】
上記箱（１０１、１０１ａ、１０１ｂ、１０１ｃ、１０１ｄ、１０１ｅ、２０１、３０１、４０１）が閉鎖配置であるときに、上記閉鎖本体（１０４、２０４、３０４、４０４）を閉鎖状態に維持するための、閉鎖手段（１２８、１９１、２９７、３９７、４９７）をさらに備えている、請求項１〜９のいずれか１項に記載の箱（１０１、１０１ａ、１０１ｂ、１０１ｃ、１０１ｄ、１０１ｅ、２０１、３０１、４０１）。
【請求項１１】
上記閉鎖手段（１２８、１９１、２９７、３９７、４９７）は、一対のウイング手段（２９７、３９７、４９７）を備えており、上記ウイング手段は、上記箱（２０１、３０１、４０１）が閉鎖配置であるときに、上記閉鎖本体（２０４、３０４、４０４）を閉鎖状態に維持するために、内部筐体（２０６、３０６、４０６）の対応する面取り部（２３３、３３３、４３３）から外側に突出しており、上記閉鎖本体（２０４、３０４、４０４）にはめ込むように設けられている、請求項１０に記載の箱（２０１、３０１、４０１）。
【請求項１２】
上記閉鎖本体（１０４、２０４、３０４、４０４）は、上面（１１４、２１４、３１４、４１４）を備えており、上記上面は、上記前面（１１５、２１５、３８７、４８７）に接続されており、上記箱（１０１、１０１ａ、１０１ｂ、１０１ｃ、１０１ｄ、１０１ｅ、２０１、３０１、４０１）が閉鎖配置であるときに、上記上面は、上記箱（１０１、１０１ａ、１０１ｂ、１０１ｃ、１０１ｄ、１０１ｅ、２０１、３０１、４０１）の基底壁（１０７、３０７、４０７）と対向している、請求項１〜１１のいずれか１項に記載の箱（１０１、１０１ａ、１０１ｂ、１０１ｃ、１０１ｄ、１０１ｅ、２０１、３０１、４０１）。
【請求項１３】
上記前面（２１５）は、上記長軸（Ｚ２）に沿って測定される場合に、上記収納本体（２０３）の後部壁の長さと実質的に同じ長さを有している、請求項１〜１２のいずれか１項に記載の箱（２０１）。
【請求項１４】
上記閉鎖本体（１０４、２０４）を上記収納本体（１０３、２０３）に接続するための第１のヒンジ（１０５、２０５）をさらに備えている、請求項１〜１３のいずれか１項に記載の箱（１０１、１０１ａ、１０１ｂ、１０１ｃ、１０１ｄ、１０１ｅ、２０１）。
【請求項１５】
上記第１のヒンジ（２０５）は、上記前面（２１５）と、基底壁との間に規定されている、請求項１４に記載の箱（２０１）。
【請求項１６】
第１のパネル（１４３、２４３、３４３、４４３）と、１対の第２のパネル（１４６、１４７、１４９、１８０、２４６、２４７、２４９、２８０、３４６、３４９、３８０、４４６、４４９、４８０）とを備えており、
上記第１のパネルは、上記閉鎖本体（１０４、２０４、３０４、４０４）の上記前面（１１５、２１５、３８７、４８７）を形成することを意図しており、上記１対の第２のパネルは、上記閉鎖本体（１０４、２０４、３０４、４０４）の上記側面（１１６、２１６、３８９、４８９）を形成することを意図している、請求項１〜１５のいずれか１項に記載の煙草製品の箱（１０１、１０１ａ、１０１ｂ、１０１ｃ、１０１ｄ、１０１ｅ、２０１、３０１、４０１）を作製するためのボール紙製のブランク（１３５、１３５ａ、１３５ｂ、１３５ｃ、２３５、３３５、４３５）であって、
上記第２のパネル（１４６、１４７、１４９、１８０、２４６、２４７、２４９、２８０、３４６、３４９、３８０、４４６、４４９、４８０）のそれぞれは、長軸方向に折り畳まれることを意図している線（１５０、１５２、２５０、２５２、３５０、３５２、４５０、４５２）を備えており、上記ブランク（１３５、１３５ａ、１３５ｂ、１３５ｃ、２３５、３３５、４３５）は、上記外側の伸長部（１５４、２５４、３８６、４８６）と、上記内側の硬化部（１２４、２２４、３２４、４２４）と、上記側面（１１６、２１６、３８９、４８９）の上記固定部（１２０、２２０、３２０、４２０）とを形成するために、上記線に沿って折り畳み可能であり、上記固定部は、上記前面（１１５、２１５、３８７、４８７）の上記内面（１１９、２１９、３１９、４１９）に固定可能であり、上記箱（１０１、１０１ａ、１０１ｂ、１０１ｃ、１０１ｄ、１０１ｅ、２０１、３０１、４０１）の上記長軸方向の隙間（１２６、２２６、３２６、４２６）を規定していることを特徴とするボール紙製のブランク。
【請求項１７】
上記第２のパネル（１４６、１４７、１４９、１８０、２４６、２４７、２４９、２８０、３４６、３４９、３８０、４４６、４４９、４８０）は、１対の中間パネル（１８０、２８０、３８０、４８０）を備えており、上記１対の中間パネルは、上記第１のパネル（１４３、２４３、３４３、４４３）の側部に配置されており、上記１対の中間パネルは、上記外側の伸長部（１５４、２５４、３８６、４８６）を形成することを意図している、請求項１６に記載のブランク（１３５、１３５ａ、１３５ｂ、１３５ｃ、２３５、３３５、４３５）。
【請求項１８】
中間パネル（１８０、２８０、３８０）のそれぞれは、上記ブランク（１３５、１３５ａ、１３５ｂ、１３５ｃ、２３５、３３５）の対称軸（Ｘ１、Ｘ２、Ｘ３）と実質的に平行に伸びている切込み線（１５１、２５１、３８１）を備えており、上記切込み線（１５１、２５１、３８１）は、中間パネル（１８０、２８０、３８０）の曲げを容易にする、請求項１６または１７に記載のブランク（１３５、１３５ａ、１３５ｂ、１３５ｃ、２３５、３３５）。
【請求項１９】
上記第２のパネル（１４６、１４７、１４９、１８０、２４６、２４７、２４９、２８０、３４６、３４９、３８０、４４６、４４９、４８０）は、一対の第１の内側パネル（１４６、２４６、３４６、４４６）を備えており、上記一対の第１の内側パネルは、中間パネル（１８０、２８０、３８０、４８０）の側部に配置されており、上記一対の第１の内側パネルは、上記内側の硬化部（１２４、２２４、３２４、４２４）を形成することを意図している、請求項１６、１７または１８に記載のブランク（１３５、１３５ａ、１３５ｂ、１３５ｃ、２３５、３３５、４３５）。
【請求項２０】
上記第２のパネル（１４６、１４７、１４９、１８０、２４６、２４７、２４９、２８０、３４６、３４９、３８０、４４６、４４９、４８０）は、一対の第１の外側パネル（１４９、２４９、３４９、４４９）を備えており、上記一対の第１の外側パネルは、上記第１の内側パネル（１４６、２４６、３４６、４４６）の側部に配置されており、上記一対の第１の外側パネルは、上記固定部（１２０、２２０、３２０、４２０）を形成することを意図としている、請求項１９に記載のブランク（１３５、１３５ａ、１３５ｂ、１３５ｃ、２３５、３３５、４３５）。
【発明の詳細な説明】
【発明の詳細な説明】
【０００１】
本発明は煙草製品、特にタバコ用の箱に関し、上記の箱をつくることのできるボール紙のブランク（blank）に関する。
【０００２】
従来のタバコ用の箱は、長軸に沿って伸びている直方体であり、収納本体、および当該収納本体に対してヒンジを介して蝶番式に取り付けられている閉鎖本体を備えている。
【０００３】
収納本体は、前部壁、後部壁、２つの側壁および基底壁を備えている。閉鎖本体は、前面、後部面、２つの側面および上面を備えている。上述のヒンジは、収納本体の後部壁および閉鎖本体の後部面の間に配置されている。
【０００４】
箱が衝撃を受けたときにか、または消費者のポケットもしくは鞄に箱が入っているときでさえ、タバコの損傷を回避する剛性のために、喫煙者は上述の箱を高く評価している。
【０００５】
開示されている上述の種類の箱は、頑丈なボール紙製のブランクから作製されている。
【０００６】
ブランクにあらかじめ折り畳まれる線を軽くいれ、その線に沿って折り畳むと、箱のかたちになる。
【０００７】
喫煙者が従来のような外見の箱より、美的な外観の箱を好むように働きかけるために、最近は、従来のヒンジつき閉鎖本体のある箱をカスタマイズする傾向がある。従って、タバコ製造会社は、消費者に「凝った箱」、「魅力的な箱」と感じてもらえる、感性の優れた外見を有している箱への変更が必要だと感じている。
【０００８】
上記の理由から、長軸に沿って測定したときに、閉鎖本体の前面の長さが収納本体の前部壁の長さと同じか、または当該前部壁の長さを超える箱が製造されている。
【０００９】
したがって、そのような箱において、長軸に沿って測定したときに、閉鎖本体の側面は、従来の箱の蓋の側面の長さを超える長さを有している。
【００１０】
このタイプの箱は、例えば、ＷＯ−Ａ−２００４／０６５２３５、ＷＯ−Ａ−２００９／０２０３８３、ＤＥ−Ａ−２３３４１９０、ＥＰ−Ａ−０７６４５９４に開示されている。
具体的には、ＤＥ−Ａ−２３３４１９０は、タバコを収容する収納本体と、上記収納本体の上における端部に配置されたヒンジにより上記収納本体と接続された閉鎖本体とを有する箱を開示する。上記閉鎖本体は、前面と、１対の側面とを含む。１対の側面は、それぞれ対向しており、上記前面における反対の位置にある側部から伸びる。上記側面はボール紙製の簡易な壁によって形成され、前面は、外壁および内壁を備えている。外壁および内壁は、上記前面の剛性を強めるために、それぞれ粘着されている。
ＥＰ−Ａ−０７６４５９４は、蝶番式の蓋を有する堅いタバコの箱を開示する。上記箱は、茶碗型の容器と、茶碗型の蓋とにより定義される。上記蓋は、上記容器を開封する開封位置と、容器を閉鎖する閉鎖位置との間で回転するように、上記容器に蝶番式に取り付けられている。上記箱は、前壁と、２つの接続壁により上記前壁に接続された２つの側面壁とを備えている。上記接続壁は、通常のタバコの曲率半径の約１．５倍の曲率半径を有する湾曲した断面を備えている。
【００１１】
このような箱の短所は、閉鎖本体の側面が外側へ曲がる傾向である。すなわち、ぴったりと閉鎖状態ではないため、閉鎖本体を開閉する際に諸問題が起こり、不快感を与える。
【００１２】
薄い板紙に施された簡単な折り目の反動で、側面が湾曲状態になる。
【００１３】
特に、側面のより広い幅によって、側面が得られている折りまげた線が広い間隔を空けて離れている状態を生じ、この間隔は材料の反発が緩やかな場合であってさえ、ボール紙の著しいたわみを生じる。本発明の目的の１つは、煙草製品、特にタバコ用の箱の改良、当該の箱を得るために使用されるボール紙のブランクを改良することである。
【００１４】
本発明の別の目的は、従来の箱に比べ丈夫な閉鎖本体を有す煙草製品、特にタバコ用の箱を提供することである。
【００１５】
本発明のさらに別の目的は、従来の側面に比べ頑丈な側面を有す閉鎖本体を有している、煙草製品、特にタバコのための箱を提供することである。
【００１６】
本発明のさらに別の目的は、消費者に対する情報伝達、およびメッセージの広告などに利用可能な広い表面を有している、煙草製品、特にタバコのための箱を提供することである。
【００１７】
本発明のさらに別の目的は、好ましい美的な外観を有している、煙草製品、特にタバコのための箱を提供することである。
【００１８】
本発明の第１の態様は、独立請求項１において開示する煙草製品、特にタバコ用の箱である。
【００１９】
本発明によると、従来の箱に比べ、丈夫な閉鎖本体を有している、煙草製品のための箱を得ることができる。
【００２０】
実際、上記固定部（具体的には、上記前面の該内面と糊付けされ、固定された部分）は、対照をなす。該側面が外側へ曲がるという問題をかなり解決し、側面を実質的に直線状態に維持する。さらに、該側面は、少なくとも部分的に、該内壁および該外壁によって形成されるため、頑丈である。上記によって、審美的な魅力を有している箱へ改善され、扱いやすい閉鎖本体への改良もみられる。
【００２１】
また、該側面は、公知の箱の側面に比べて頑丈なため、上記前面は、該収納本体の前部壁と同程度の大きさを、公知の箱と比べて、拡大し得る。これによって、消費者に対する情報伝達（例えば、メッセージの広告など）に使用可能な面を拡大させることができる。
【００２２】
特に、本発明の実施形態において、当該メッセージは、上記内面の幅全体に実質的に広がっている上記固定部上にあらかじめ印刷され得る。
【００２３】
本発明の第２の態様は、独立請求項３１において開示するボール紙製のブランクである。
【００２４】
本発明の第２の態様におけるボール紙製のブランクは、従来のブランクにおける外側輪郭と同様の輪郭を有すブランクであるため、従来の機械で、本発明の第１の態様による箱を容易に製造できる。本発明については、限定されない例を使って本発明の他の実施形態を示す、添付図面を参照することによって理解し、実行できるだろう。図１は、本発明による、煙草製品用の箱の第１の例を開封配置にして、正面から見た透視図である。
【００２５】
図２は、図１の箱を閉鎖配置にして、正面から見た透視図である。
【００２６】
図３は、図１の箱を開封配置にした側面図である。
【００２７】
図４は、図１の箱における閉鎖本体の断面を拡大した時の細部である。
【００２８】
図５は、図４における細部の別の変形である。
【００２９】
図６は、図４における細部のさらに別の変形である。
【００３０】
図７は、図１の箱を得るためのブランクの平面図である。
【００３１】
図８は、図１の箱における内部筐体を得るための内部構造の平面図である。
【００３２】
図９は、図１の箱の第１の変形を図１と同じように示した図である。
【００３３】
図１０は、図９を拡大した時の細部である。
【００３４】
図１１は、図９の箱を得るためのブランクの平面図である。
【００３５】
図１２は、図１の箱の第２の変形を図１と同じように示した図である。
【００３６】
図１３は、図１２の箱を図２と同じように示した図である。
【００３７】
図１４は、図１の箱の第３の変形を図３と同じように示した図である。
【００３８】
図１５は、図１２の箱を得るためのブランクの平面図である。
【００３９】
図１６は、図１４の箱を図１と同じように示した図である。
【００４０】
図１７は、図１４の箱を得るためのブランクの平面図である。
【００４１】
図１８は、図１の箱の第４の変形を図１と同じように示した図である。
【００４２】
図１９は、図１８の箱を図３と同じように示した図である。
【００４３】
図１９ｂｉｓは、図１８の箱を閉鎖配置にした側面図である。
【００４４】
図２０は、図１の箱の第５の変形を図３と同じように示した図である。
【００４５】
図２１は、本発明による箱の第２の例を、図１と同じように示した図である。
【００４６】
図２２は、図２１の箱を、図２と同じように示した図である。
【００４７】
図２３は、図２１の箱における閉鎖本体の断面を拡大した時の細部である。
【００４８】
図２４は、図２３の細部のさらに別の変形である。
【００４９】
図２５は、図２３の細部のさらに別の変形である。
【００５０】
図２６〜図２８は、図２１の箱における内部筐体の透視図である。
【００５１】
図２９は、図２１の箱を得るためのブランクを、図７と同じように示した図である。
【００５２】
図３０は、図２６〜図２８の箱における内部筐体を得るための内部構造を、図８と同じように示した図である。
【００５３】
図３１は、本発明による箱の第３の例を、図２と同じように示した図である。
【００５４】
図３２は、図３１の箱を閉鎖配置にした側面図である。
【００５５】
図３３は、図３１の箱を、図１と同じように示した図である。
【００５６】
図３４は、図３１の箱に含まれる主要部の断面である。
【００５７】
図３５は、図３１の箱の第１の断面である。
【００５８】
図３６は、図３５を拡大した時の細部である。
【００５９】
図３７は、図３１の箱の第２の断面である。
【００６０】
図３８は、図３７を拡大した時の細部である。
【００６１】
図３９は、図３１の箱を得るためのブランクを、図７と同じように示した図である。
【００６２】
図４０は、図３１の箱における内部筐体を得るための内部構造を、図８と同じように示した図である。
【００６３】
図４１は、本発明による箱の第４の例を、図１と同じように示した図である。
【００６４】
図４２は、図４１の箱を図３と同じように示した図である。
【００６５】
図４３〜図４５は、図４１の箱の透視図である。
【００６６】
図４６は、図４１の箱を閉鎖配置にした側面図である。
【００６７】
図４７は、図４１の箱を得るためのブランクを、図７と同じように示した図である。
【００６８】
図４８は、図４１の箱における内部筐体を得るための内部構造を、図８と同じように示した図である。
【００６９】
図１〜図３は、本発明による第１の箱１０１を示すものである。第１の箱１０１は、煙草製品、特にタバコ（図示せず）を収納するように構成されている。第１の箱１０１は、頑丈なタイプで、第１の長軸Ｚ１に沿って伸びており、実質的に直方体をなす。例えば頑丈な板紙を原料とする、第１の箱１０１は、内側の包装紙１０２に包まれたタバコの群を収納するのに適していて、タバコを収納する収納本体１０３、喫煙者がタバコを取り出すために開閉可能な閉鎖本体１０４、または蓋を備えている。
【００７０】
具体的には、ヒンジ１０５の周りを回転させる事によって、閉鎖本体１０４は、開封状態（図１および３）を取ることも、閉鎖状態（図２）を取ることもできる。
【００７１】
収納本体１０３は、基底壁１０７（図３）、および基底壁と対向している上部壁１９０を備えている。具体的には、第１の長軸Ｚ１を横切っている上部壁１９０を平面で測定すると、上部壁は、基底壁１０７より広くない。
【００７２】
基底壁１０７および上部壁１９０は、後部壁１０９によって接続されている。
【００７３】
すなわち、後部壁１０９における反対の位置にある側部から、基底壁１０７、および上部壁１９０が広がる。
【００７４】
基底壁１０７から、後部壁１０９と対向している前部壁１０８が広がり、第１の長軸Ｚ１に平行している後部壁１０９を平面で測定すると、後部壁１０９は、前部壁１０８より広い（図３）。２つの側壁１１０は、前部壁１０８と後部壁１０９との間に挿入されている。それぞれの側壁１１０は、前部壁１０８および後部壁１０９より広くない。
【００７５】
それぞれの側壁１１０は、実質的に台形状を有している縮小部１１１、および実質的に台形状を有している拡大部１１２を備えている。第１の長軸Ｚ１に平行な面で測定すると、縮小部１１１は拡大部１１２より長くない。具体的には、前面１０８から縮小部１１１が広がり、後部壁１０９から拡大部１１２が広がる。縮小部１１１は、拡大部１１２と固定（具体的には、糊付け）されている。
【００７６】
すなわち、拡大部１１２の一部は、縮小部１１１によって覆われている。
【００７７】
湾曲した部分１１３、特に丸くなった部分によって、縮小部１１１は前部壁に接続されている。
【００７８】
本発明の実施形態では、図示していないが、湾曲した部分１１３ではない、平面な斜面が設けられている。
【００７９】
閉鎖本体１０４は、閉鎖状態の時、基底壁１０７と対向している上面１１４を備えている。上面１１４は、また、上面１１４と上部壁１９０との間に、前述のヒンジ１０５を規定する。
【００８０】
上面１１４は、前面１１５と接続されている。第１の長軸Ｚ１と平行な面で測定すると、前面１１５は、前部壁１０８より長い。
【００８１】
前面１１５は、例えば実質的に三角形状を有している先端部１１８を備えている。１８０°に折り畳み、固定された（具体的には、前面１１５の内面１１９と糊付けされた）先端部１１８は、前面１１５を補強する。前面１１５より、２つの側面１１６が広がる。
【００８２】
側面１１６は、それぞれの拡張部１５３を備えており、それぞれの拡張部は、例えば、実質的に三角形状を有していて、上面１１４と隣接している。さらに、側面１１６は、それぞれの細長い、例えば、丸くなった部分を備えている。伸長部１５４は、前面１１５と拡張部１５３との間に挿入されており、前面１１５および拡張部１５３を接続している。さらに、それぞれの側面１１６は、固定部１２０を備えている。固定部１２０は、それぞれの拡張部１５３と反対側において、それぞれの伸長部１５４と接続されており、具体的には、内面１１９と糊付けされている。
【００８３】
固定部１２０は、例えば、変則的な五角形状を有している、それぞれ第１の端部１２１、および第１の端部と接続された第２の端部１２２を備えている。第１の端部１２１、および第２の端部１２２は、第１の箱１０１を閉鎖状態にすると、第１の長軸Ｚ１と実質的に平行してそれぞれ伸びているか、または当該長軸を横切ってそれぞれ伸びている。具体的には、第１の端部１２１は、互いに近くに位置し、第２の端部１２２は、先端壁１１８の第３の端部１２３のそばにあり、「Ｖ」字を示す。この方法では、固定部１２０が、閉鎖本体１０４の幅の全体にわたって実質的に広がっている。
【００８４】
また、固定部１２０は、第２の端部１２２と対向しているそれぞれのさらなる第２の端部１２２´を備えている。さらなる第２の端部１２２´は直線で、上面１１４の内面と隣接している。
【００８５】
この方法では、固定部１２０が、前面１１５の幅の全体にわたって実質的に広がっている。
【００８６】
本発明の実施形態では、図示していないが、さらなる第２の端部１２２´は曲線で、並列させた場合、カモメが翼を広げた格好の輪郭を描く。
【００８７】
さらに、本発明の実施形態で、上面１１４の内面からある程度距離をおいたところに、さらなる第２の端部１２２´が配置されているかもしれない。
【００８８】
それぞれの側面１１６は硬化部１２４を備えている（図４）。硬化部１２４は、それぞれの伸長部１５４とそれぞれの固定部１２０との間に挿入されている。
【００８９】
さらに、第１の箱１０１を閉鎖配置にすると、第１の長軸Ｚ１と平行な面で測定すると、硬化部１２４は、伸長部１５４より長くない。
【００９０】
本発明の実施形態では、図示していないが、第１の箱１０１を閉鎖状態にすると、第１の長軸Ｚ１と平行な面で測定すると、硬化部１２４は伸長部１５４と実質的に同じ長さになる。
【００９１】
上記に記述の通り、硬化部１２４によって、伸長部１５４および固定部１２０が接続されており、伸長部１５４および硬化部１２４は、第１の箱１０１を閉鎖配置にすると、第１の長軸Ｚ１と実質的に平行して伸びている長軸方向の隙間１２６の境界を成している（図４）。上記より、それぞれの側面１１６は、少なくとも部分的に、外側の伸長部１５４と、内側の硬化部１２４から形成されることがわかる。
【００９２】
先端部１１８の上、および固定部１２０の上に、破線によって示されている印刷領域（例えば、喫煙者向けの文章、絵または他の情報を含んでいる）が設けられている。
【００９３】
第１の箱１０１の実施形態では、図５に示した通り、伸長部１５４は平面で、前面１１５に対して、約１３５°とするα度だけ傾けられている。
【００９４】
この変形では、硬化部１２４、伸長部１５４、内面１１９が、隙間１２６の境界を成している。
【００９５】
第１の箱１０１の他の変形では、図６に示した通り、伸長部１５４は平面で、前面１１５に対して、約９０°とするα度だけ傾けられている。
【００９６】
また、この変形でも、硬化部１２４、伸長部１５４、内面１１９が、隙間１２６の境界を成している。
【００９７】
さらに、第１の箱１０１には、前面１１５と接続された閉鎖ウイング１９１が設けられている。閉鎖ウイング１９１は、前面１１５の下端１２９の実質的に中央の領域から突出して、当該領域に配置されている。
【００９８】
以下、閉鎖ウイング１９１の機能について説明する。図２に示した通り、第１の箱１１０が閉鎖状態の時、閉鎖本体１０４の前面１１５は、収納本体１０３の前部壁１０８と隣接し、実質的に１つの平面をなす。同様に、側面１１６は、それぞれの側壁１１０と隣接している。
【００９９】
さらに、第１の箱１１０は、収納本体１０３の内側に配置された内部筐体１０６（図１にその１部を図示）を備えている。
【０１００】
上述のように内部筐体１０６は、アルミ箔または金属箔のシートからなる内側の包装紙１０２に包まれた該タバコの群を収納する。
【０１０１】
内側の包装紙１０２は、従来のタイプであって、普通のタバコの箱に使用される内側の包装紙と比べ、大差ない。
【０１０２】
内部筐体１０６は主壁１３０を備えており、当該主壁の上に、破線によって示されている印刷領域（例えば、喫煙者向けの文章、絵または他の情報を含んでいる）が設けられている。
【０１０３】
「Ｕ」の形をした上部の外形１３１および主壁１３０は隣接している。２つの小さい壁１３２および主壁１３０は、接続されており、２つの小さい壁１３２より、第２の壁（図示せず）が広がる。小さい壁１３２の側面に沿って、内側の包装紙１０２が設けられており、内側の包装紙１０２の裏側に、第２の壁が折り畳まれ、結果、互いに隣接している。
【０１０４】
また、内部筐体１０６は、２つの平らな斜面１３３を備えており、例えば、主壁１３０に対して、約１３５°とするα度だけ傾けられている。２つの平らな斜面１３３によって、主壁１３０と小さい壁１３２が接続されている。
【０１０５】
内部筐体１０６の主壁１３０と、収納本体１０３の前部壁１０８との間には、収納ポケット１９２が設けられており、第１の箱１０１を閉鎖配置にして、閉鎖ウイング１９１をはめ込むと、その閉鎖状態を維持するように構成されている。具体的には、前部壁１０８の中間部分と、前部壁１０８に面し、対応する主壁１３０の中間部分との間に、収納ポケット１９２を規定する。
【０１０６】
使用にあたり、閉鎖ウイング１９１と収納ポケット１９２を連動させ、第１の箱１０１を閉鎖状態に維持することができる。
【０１０７】
内部筐体１０６は、上部の外形１３１と補完的な周囲によって境界が付けられており、主壁１３０と接続されている下部の折り蓋（図示せず）をさらに備えている。内側の包装紙１０２の下に、下部の折り蓋が折り畳まれている。
【０１０８】
内部筐体１０６は、収納本体１０３の内側に配置され、後部壁１０９において、収納本体１０３に取り付けられる。
【０１０９】
具体的には、後部壁１０９と前述の第２の両壁を粘着させた方法によって、後部壁１０９の内面における１箇所以上で糊付けされているかもしれない。
【０１１０】
上記によって、内側の包装紙１０２の周囲で、内部筐体１０６を閉鎖状態に維持することができる。
【０１１１】
通常のタバコの箱として、第１の箱１０１を使用できるかもしれない。
【０１１２】
したがって、従来の箱と同じように、喫煙者は、閉鎖本体１０４をヒンジ１０５の周りに回転させる事によって、第１の箱１０１を開封し、タバコを取り出すことができるかもしれない。
【０１１３】
第１の箱１０１を開けた時、固定部１２０の上、先端部１１８の上、および主壁１３０の上の印刷領域は、喫煙者にとって見やすいということに注目しなければならない。このようにして、喫煙者は、印刷領域内の文章を読み、絵に着眼する。
【０１１４】
上記によって、第１の箱１０１のカスタマイズが可能になり、消費者に対する情報伝達に使用できるスペースの拡大が可能になる。
【０１１５】
実際に、従来の箱で使用してきた、収納本体１０３、および閉鎖本体１０４の外面だけでなく、第１の箱１０１の内側に設けられている印刷領域もまた、消費者向けの情報伝達、および考えられるメッセージの広告の印刷に使用できる。
【０１１６】
喫煙者は、タバコを取り出した後、閉鎖本体１０４をヒンジ１０５の周りに回転させ、収納本体１０３の前部壁１０８へと、第１の長軸Ｚ１と平行している閉鎖本体１０４を軽く動かす。こうすることによって、閉鎖ウイング１９１を収納ポケット１９２へはめ込み易くし、第１の箱１０１を閉じる。
【０１１７】
平面なブランク１３５を折り畳み、収納本体１０３および閉鎖本体１０４を組み立てる。例えば、ブランク１３５は厚紙を原料とし、第１の縦の対称軸Ｘ１に沿って展開する。
【０１１８】
図７に示した通り、ブランク１３５は、収納本体１０３の形成を目的としている（意図している）第１の部分１３６、および閉鎖本体１０４の形成を目的としている第２の部分１３７を備えている。
【０１１９】
第１の部分１３６および第２の部分１３７を、第１の箱１０１におけるヒンジ１０５の形成を目的としている、折り畳まれることを目的としている線１３８に沿ってつなぐ。
【０１２０】
折り畳まれることを目的としている線１３８は、折り目を含んでもいいし、連結させた点によって離れた、多数の切込みを含んでもいい。
【０１２１】
ブランク１３５は、収納本体１０３の後部壁１０９の形成を目的としている第１のメインパネル１３９を備えている。
【０１２２】
第１の横パネル１４０、および第２の横パネル１４１は、第１のメインパネル１３９の反対端に設けられている。すなわち、第１の横パネル１４０、第１のメインパネル１３９、および第２の横パネル１４１の順に、第１の対称軸Ｘ１に沿って設けられているということである。
【０１２３】
第１の横パネル１４０および第２の横パネル１４１のそれぞれが、収納本体１０３の基底壁１０７および上部壁１９０の形成を目的としている。
【０１２４】
第１の横パネル１４０は、収納本体１０３の前部壁１０８の形成を目的としている第３の横パネル１４２と接続されており、第２の横パネル１４１は、閉鎖本体１０４の上面１１４の形成を目的としている、さらなる第２の横パネル１９３と接続されている。
【０１２５】
さらなる第２の横パネル１９３と第２の横パネル１４１との間に、上述の折り畳まれることを目的としている線１３８が設けられている。
【０１２６】
さらなる第２の横パネル１９３は、閉鎖本体１０４の前面１１５の形成を目的としている、第２のメインパネル１４３と接続されている。第２のメインパネル１４３は、補強の要素１４４とも接続されている。補強の要素１４４は、１８０°に折り畳むと、閉鎖本体１０４の前方部を補強することができ、また閉鎖本体１０４の先端部１１８をなすように設けられている。
【０１２７】
第３の横パネル１４２、第１の横パネル１４０、第１のメインパネル１３９、第２の横パネル１４１、さらなる第２の横パネル１９３、第２のメインパネル１４３、補強の要素１４４は、第１の対称軸Ｘ１を横断（具体的には直交）して設けられているそれぞれの横の折り目１４５に沿って接続されている。さらに、ブランク１３５は、「Ｃ」の形をした切込み１９４を備えている。ブランク１３５を折った時、９０°に回転させると、「Ｃ」の形をした切込み１９４は、閉鎖ウイング１９１の形成を目的としている。
【０１２８】
具体的には、横の折り目１４５の中間地点の近くに切込み１９４が設けられており、切込み１９４によって、補強の要素１４４と第２のメインパネル１４３とが分かれる。
【０１２９】
さらに、ブランク１３５は、１対の中間パネル１８０を備えている。１対の中間パネル１８０は、第２のメインパネル１４３の両側に設けられており、閉鎖本体１０４の湾曲した伸長部１５４の形成を目的としている。
【０１３０】
中間パネル１８０は、第１の切込み線１５１を備えている。第１の切込み線１５１は、第１の対称軸Ｘ１と実質的に平行であり、それぞれ隣接していて、中間パネル１８０の折り畳みを容易にするように設けられている。
【０１３１】
本発明の実施形態では、図示していないが、中間パネル１８０は第１の切込み線１５１を設けておらず、中間パネル１８０と第２のメインパネル１４３との間に、縦の折り目が設けられている。
【０１３２】
さらに、ブランク１３５は、１対の第１の内側パネル１４６を備えている。１対の第１の内側パネル１４６は、中間パネル１８０の両側に設けられており、閉鎖本体１０４の硬化部１２４の形成を目的としている。
【０１３３】
中間パネル１８０と第１の内側パネル１４６との間には、第１の縦の折り目１５０が設けられている。第１の縦の折り目１５０は、第１の対称軸Ｘ１と実質的に平行に伸びている。
【０１３４】
さらに、ブランク１３５は、１対の第１の外側パネル１４９を備えている。１対の第１の外側パネル１４９は、第１の内側パネル１４６の両側に設けられており、第２の縦の折り目１５２によって、１対の第１の外側パネル１４９と第１の内側パネル１４６とが分かれる。第２の縦の折り目１５２は、第１の対称軸Ｘ１と実質的に平行に伸びている。また、第１の外側パネル１４９は、硬化部１２０の形成を目的としている。
【０１３５】
この方法では、第１の縦の折り目１５０および第２の縦の折り目１５２は、第１の内側パネル１４６と隣接している。
【０１３６】
さらに、ブランク１３５は、１対の第２の内側パネル１４７を備えている。第２の内側パネル１４７は、中間パネル１８０と第１の内側パネル１４６と第１の外側パネル１４９との間に挿入されており、閉鎖本体１０４の拡張部１５３の形成を目的としている。
【０１３７】
斜めの切込み１４８によって、それぞれの第２の内側パネル１４７は、第１の内側パネル１４６および第１の外側パネル１４９と分離される。第１のウイング１５５は、前述したさらなる第２の横パネル１９３の両側に設けられており、さらなる第２の横パネル１９３の内側へ折り畳み、第２の内側パネル１４７と糊付けされ、拡張部１５３を補強する。
【０１３８】
具体的には、第１のウイング１５５と、さらなる第２の横パネル１９３との間に、第３の縦の折り目１５６が設けられており、第１の対称軸Ｘ１と実質的に平行に伸びている。
【０１３９】
さらに、ブランク１３５は、１対の第２の外側パネル１５７を備えている。１対の第２の外側パネル１５７は、第１のメインパネル１３９の両側に設けられており、第４の縦の折り目１５８によって、第２の外側パネル１５７と第１のメインパネル１３９とが分かれる。第４の縦の折り目１５８は、第１の対称軸Ｘ１と実質的に平行に伸びている。
【０１４０】
具体的には、第２の外側パネル１５７は、収納本体１０３における側壁１１０の拡大部１１２の形成を目的としている。
【０１４１】
第２のウイング１５９は、第２の外側パネル１５７の端と接続されており、第２の外側パネル１５７の内側へ折り畳み、第１の横パネル１４０と糊付けされ、基底壁１０７を補強する。
【０１４２】
さらなる第２のウイング１９５は、第２のウイング１５９と反対側において第２の外側パネル１５７と接続されている。
【０１４３】
さらなる第２のウイング１９５は、第２の外側パネル１５７の内側へ折り畳み、第２の横パネル１４１と糊付けされ、上部壁１９０を補強する。
【０１４４】
第３の横パネル１４２の両側に、第３のウイング１６０が設けられており、第３の横パネル１４２の内側へ折り畳み、第２の外側パネル１５７と糊付けされ、収納本体１０３における側壁１１０の縮小部１１１をなす。
【０１４５】
具体的には、第３のウイング１６０と第３の横パネル１４２との間に、湾曲した部分１１３の形成を目的としている、接続パネル１８１が設けられている。
【０１４６】
接続パネル１８１は、第２の切込み線１６１を備えている。第２の切込み線１６１は、第１の対称軸Ｘ１と実質的に平行しており、それぞれ隣接していて、接続パネル１８１の折り畳みを容易にするように設けられている。
【０１４７】
本発明の実施形態では、図示していないが、接続パネル１８１は第２の切込み線１６１を設けておらず、縦の折り目に隣接している。
【０１４８】
粘着性物質を得た後、従来からの折り畳み方の手順に従って、ブランク１３５を折り畳む。従来のブランクと比べた時、ブランク１３５に、追加パネルがないもののように扱う。その結果、一般の機械によるブランク１３５加工で、より頑丈なタバコの箱をつくることができるかもしれない。
【０１４９】
図８は、内部筐体１０６を得るために使用される内部構造１６３を示す。
【０１５０】
内部構造１６３は、板紙を原料にし得る。金属シート、例えばアルミニウムなどと一体化する可能性が生じる。
【０１５１】
内部構造１６３は、リールを含んでいるパッケージ機械によって、形成され得る。内部構造１６３における、横断する上部の輪郭１６４、および横断する下部の輪郭１６５と一致する「Ｕ」の輪郭をしたナイフで切断される。さらに、適した切り刃によって、内部構造１６３における２本の内側の弱化線１６６、２本の外側の弱化線１６７、２本の中間の弱化線１６８を得ることができる。外側の弱化線１６７は、内側の弱化線１６６より外側に設けられている。最後に、内部構造１６３における下部の範囲にて、内側の弱化線１６６、中間の弱化線１６８、外側の弱化線１６７に対して、横方向に設けられている横断する弱化線１６９を得ることができる。内側の弱化線１６６と、横方向に設けられている横断する弱化線１６９とに挟まれるように、第１のパネル１７０を規定する。第１のパネル１７０は、内部筐体１０６の主壁１３０の形成を目的としている。
【０１５２】
２つの側部パネル１７１は、第１のパネル１７０の両側に設けられている。それぞれのパネル１７１は、内側の弱化線１６６と、中間の弱化線１６８との間に挿入されている。それぞれの側部パネル１７１は、内部筐体１０６の斜面１３３の形成を目的としている。
【０１５３】
２枚の中間パネル１７２は、側部パネル１７１の両側に設けられており、それぞれの中間パネル１７２は、中間の弱化線１６８と外側の弱化線１６７との間に挿入されている。それぞれの中間パネル１７２は、内部筐体１０６の小さい壁１３２の形成を目的としている。
【０１５４】
最後に、２枚の外側パネル１７３は、中間パネル１７２の外側に設けられており、外側の弱化線１６７を挟むように、それに対応する中間パネル１７２と、それぞれのパネルが接続されている。
【０１５５】
外側パネル１７３を、内側の包装紙１０２の内側へ折り畳み、第２の壁の形成を目的としている。
【０１５６】
この方法では、内部構造１６３を折った後、内部筐体１０６が内部構造１６３によって４面とも囲まれることになる。
【０１５７】
横断する弱化線１６９と、横断する下部の輪郭１６５との間に、先端パネル１７４を規定する。先端パネル１７４は、内側の包装紙１０２の下へ折り畳むことに適しており、下部の折り蓋の形成を目的としている。
【０１５８】
パッケージ過程において、内側の包装紙１０２の周囲に、内部構造１６３を折り畳み、従来の内部構造における粘着箇所と同じ箇所で、内側の包装紙と内部構造とを粘着させる。
【０１５９】
従来の内部構造用折り畳み装置と同じような装置を使用することによって、内側の包装紙１０２の周囲に、内部構造１６３を折り畳むことができるかもしれない。
【０１６０】
内部筐体１０６の周囲に、ブランク１３５を折り畳むことによって、収納本体１０３および閉鎖本体１０４を組み立てる。
【０１６１】
従来の機械と比べ大差ないパッケージ機械を使用することによって、第１の箱１０１を製造できる点は、上記に提示した内容によって明白である。
【０１６２】
図９、および図１０では、第１の箱１０１の第１の変形に従って、煙草製品用の箱１０１ａを説明する。
【０１６３】
説明の便宜上、第１の箱１０１にて説明した構成部品と同じ箱１０１ａの構成部品については、同じ符号を付記し、その説明を省略する。
【０１６４】
具体的には、箱１０１ａは、閉鎖ウイング１９１のかわりに、１対のウイング１２８を備えている。
【０１６５】
硬化部１２４には、それぞれのウイング１２８が含まれ、それぞれのウイング１２８は、前面１１５の下端１２９の外側に突出している。箱１０１ａは、収納ポケット１９２の代わりに、一対のポケット１３４をさらに有する。各ポケット１３４は、箱１０１ａが閉鎖状態のときに、対応するウイング１２８を受けるように設けられている。
【０１６６】
具体的には、斜面１３３と湾曲した部分１１３との間に、それぞれポケット１３４を規定する。
【０１６７】
使用にあたり、ウイング１２８とポケット１３４を連動させ、箱１０１ａを閉鎖状態に維持することができる。
【０１６８】
喫煙者は、タバコを取り出した後、閉鎖本体１０４をヒンジ１０５の周りに回転させ、収納本体１０３の前部壁１０８へと、第１の長軸Ｚ１と平行に閉鎖本体１０４を軽く動かす。こうすることによって、ウイング１２８を収納ポケット１３４へはめ込み易くし、箱１０１ａを閉じる。
【０１６９】
図１１では、箱１０１ａを組み立てるための、厚紙製の平面なブランク１３５ａを説明する。
【０１７０】
説明の便宜上、ブランク１３５にて説明した構成部品と同じブランク１３５ａの構成部品については、同じ符号を付記し、その説明を省略する。
【０１７１】
ブランク１３５ａでは、切込み１９４を省略しており、例えば丸い輪郭を備えた、突出する要素１６２が設けられている点において、ブランク１３５と異なる。突出する要素１６２は、ウィング１２８の形成を目的として設けられている。
【０１７２】
具体的には、それぞれの第１の内側パネル１４６の先端には、それぞれ突出する要素１６２が含まれ、また上記先端に配置されている。
【０１７３】
図１２、および図１３では、第１の箱１０１の第２の変形に従って、煙草製品用の箱１０１ｂを説明する。
【０１７４】
説明の便宜上、第１の箱１０１にて説明した構成部品と同じ箱１０１ｂの構成部品については、同じ符号を付記し、その説明を省略する。
【０１７５】
具体的には、箱１０１ｂの上面１１４と後部壁１０９との間に、ヒンジ１０５が配置され、上部壁１９０を省略している。
【０１７６】
図１５では、箱１０１ｂを組み立てるための、厚紙製の平面なブランク１３５ｂを説明する。
【０１７７】
説明の便宜上、ブランク１３５にて説明した構成部品と同じブランク１３５ｂの構成部品については、同じ符号を付記し、その説明を省略する。
【０１７８】
ブランク１３５ｂでは、さらなる第２のウイング１９５を省略している点において、ブランク１３５と異なる。
【０１７９】
さらに、ブランク１３５ｂでは、さらなる第２の横パネル１９３をも省略している。第１のメインパネル１３９と第２のメインパネル１４３との間に、第２の横パネル１４１が挿入されており、第２の横パネル１４１は、閉鎖本体１０４の上面１１４の形成を目的としている。
【０１８０】
図１４、および図１６では、第１の箱１０１の第３の変形に従って、煙草製品用の箱１０１ｃを説明する。
【０１８１】
説明の便宜上、第１の箱１０１にて説明した構成部品と同じ箱１０１ｃの構成部品については、同じ符号を付記し、その説明を省略する。
【０１８２】
具体的には、箱１０１ｃの上面１１４と後部壁１０９との間に、ヒンジ１０５が配置され、上部壁１９０を省略している。
【０１８３】
さらに、箱１０１ｃは、閉鎖ウイング１９１のかわりに、１対のウイング１２８を備えている。
【０１８４】
硬化部１２４には、それぞれのウイング１２８が含まれ、それぞれのウイング１２８は、前面１１５の下端１２９の外側に突出している。
【０１８５】
さらに、箱１０１ｃは、収納ポケット１９２のかわりに、１対のポケット１３４を備えている。第１の箱１０１ｃが閉鎖状態の時、それぞれに対応するウイング１２８がはまるように、それぞれのポケットが構成されている。
【０１８６】
具体的には、斜面１３３と湾曲した部分１１３との間に、それぞれポケット１３４を規定する。
【０１８７】
使用にあたり、ウイング１２８とポケット１３４を連動させ、箱１０１ｃを閉鎖状態に維持することができる。
【０１８８】
喫煙者は、タバコを取り出した後、閉鎖本体１０４をヒンジ１０５の周りに回転させ、収納本体１０３の前部壁１０８へと、第１の長軸Ｚ１と平行に、閉鎖本体１０４を軽く動かす。こうすることによって、ウイング１２８を収納ポケット１３４へはめ込み易くし、箱１０１ｃを閉じる。
【０１８９】
図１７では、箱１０１ｃを組み立てるための、厚紙製の平面なブランク１３５ｃを説明する。
【０１９０】
説明の便宜上、ブランク１３５にて説明した構成部品と同じブランク１３５ｃの構成部品については、同じ符号を付記し、その説明を省略する。
【０１９１】
ブランク１３５ｃでは、さらなる第２のウイング１９５を省略している点において、ブランク１３５と異なる。
【０１９２】
さらに、ブランク１３５ｂでは、さらなる第２の横パネル１９３をも省略している。第１のメインパネル１３９と第２のメインパネル１４３との間に、第２の横パネル１４１が設けられており、第２の横パネル１４１は、閉鎖本体１０４の上面１１４の形成を目的としている。ブランク１３５ｃでは、切込み１９４を省略しており、例えば丸い輪郭を備えた、突出する要素１６２が設けられている点において、ブランク１３５と異なる。突出する要素１６２は、ウィング１２８の形成を目的として設けられている。
【０１９３】
具体的には、それぞれの第１の内側パネル１４６の先端には、それぞれ突出する要素１６２が含まれ、上記の先端に配置されている。
【０１９４】
図１８、および図１９ｂでは、第１の箱１０１の第４の変形に従って、煙草製品用の箱１０１ｄを説明する。
【０１９５】
具体的には、箱１０１ｄは丸角タイプである。
【０１９６】
説明の便宜上、第１の箱１０１にて説明した構成部品と同じ箱１０１ｄの構成部品については、同じ符号を付記し、その説明を省略する。
【０１９７】
具体的には、箱１０１ｄの前面１１５と対向している閉鎖本体１０４の後部面１１５´と収納本体１０３の後部壁１０９との間に、ヒンジ１０５を規定し、上部壁１９０を省略している。
【０１９８】
さらに、箱１０１ｄは、閉鎖ウイング１９１のかわりに、１対のウイング１２８を備えている。
【０１９９】
硬化部１２４には、それぞれのウイング１２８が含まれ、それぞれのウイング１２８は、前面１１５の下端１２９の外側に突出している。
【０２００】
さらに、箱１０1ｄは、収納ポケット１９２のかわりに、１対のポケット１３４を備えている。第１の箱１０１ｄが閉鎖状態の時、それぞれに対応するウイング１２８がはまるように、それぞれのポケットが構成されている。
【０２０１】
具体的には、斜面１３３と湾曲した部分１１３との間に、それぞれポケット１３４を規定する。
【０２０２】
また、箱１０１ｄの固定部１２０は、第２の端部１２２と対向している、それぞれのさらなる第２の端部１２２´を備えている。
【０２０３】
さらなる第２の端部１２２´は曲線で、並列させた場合、カモメが翼を広げた格好の輪郭を描く。上面１１４の内面からある程度距離をおいたところに、さらなる第２の端部１２２´が配置されている。
【０２０４】
箱１０１ｄの実施形態では、図示していないが、さらなる第２の端部１２２´は直線で、上面１１４の内面と隣接している。
【０２０５】
箱１０１ｄの他の実施形態では、図示していないが、第１の端部は、それぞれ間隔を設けており、内面１１９は何もない中間部を有している。
【０２０６】
使用にあたり、ウイング１２８とポケット１３４を連動させ、箱１０１ｄを閉鎖状態に維持することができる。
【０２０７】
喫煙者は、タバコを取り出した後、閉鎖本体１０４をヒンジ１０５の周りに回転させ、収納本体１０３の前部壁１０８へと、第１の長軸Ｚ１と平行に、閉鎖本体１０４を軽く動かす。こうすることによって、ウイング１２８を収納ポケット１３４へはめ込み易くし、箱１０１ｄを閉じる。
【０２０８】
図２０では、第１の箱１０１の第５の変形に従って、煙草製品用の箱１０１ｅを説明する。
【０２０９】
具体的には、箱１０１ｅは丸角タイプである。
【０２１０】
説明の便宜上、第１の箱１０１にて説明した構成部品と同じ箱１０１ｅの構成部品については、同じ符号を付記し、その説明を省略する。
【０２１１】
具体的には、箱１０１ｅの前面１１５と対向している、閉鎖本体１０４の後部面１１５´と、収納本体１０３の後部壁１０９との間に、ヒンジ１０５を規定し、上部壁１９０を省略している。図２１、および図２２では、本発明による煙草製品、特にタバコ用の第２の箱２０１の第２の例を示すものである。
【０２１２】
第２の箱２０１は、頑丈なタイプで、第２の長軸Ｚ２に沿って伸び、実質的に直方体をなす。
【０２１３】
具体的には、第２の箱２０１は丸角タイプである。
【０２１４】
例えば、頑丈な板紙を原料とする第２の箱２０１は、内側の包装紙２０２に包まれたタバコの群を収納するのに適していて、タバコを収納する収納本体２０３、喫煙者がタバコを取り出すために開閉可能な閉鎖本体２０４、または蓋を備えている。
【０２１５】
具体的には、図２１に示したとおり、ヒンジ２０５の周りに回転させる事によって、閉鎖本体２０４は、開封状態（図２１）を取ることも、閉鎖状態（図２２）を取ることもできる。収納本体２０３は、基底壁（図示せず）を備えている。基底壁は後部壁（図示せず）から広がる。
【０２１６】
後部壁における反対の位置にある側部から、２つの側壁２１０が広がる。
【０２１７】
側壁２１０は、特に台形状を有していて、後部壁と比べ広くない。
【０２１８】
具体的には、湾曲した部分２１３、特に丸くなった部分によって、側壁２１０および後部壁が接続されている。
【０２１９】
本発明の実施形態では、図示していないが、湾曲した部分２１３のかわりに、平面な斜面が設けられている。
【０２２０】
後部壁における、基底壁の反対の位置にある側部から、上部壁２９９が広がる。例えば、上部壁は、加工された輪郭の形をなす。
【０２２１】
具体的には、第２の箱２０１が閉鎖状態の時、基底壁は、上部壁２９９と対向している。
【０２２２】
閉鎖本体２０４は、上面２１４を備えており、閉鎖状態の時、基底壁と対向しており、上部壁２９９に面する。
【０２２３】
第２の箱２０１が閉鎖状態の時、前面２１５は、上面２１４と接続されており、第２の軸Ｚ２と平行な面で測定すると、前面２１５は、後部壁と実質的に同じ長さである。
【０２２４】
具体的には、第２の箱２０１が閉鎖状態の時、前面２１５は、後部壁と対向している。第２の軸Ｚ２と平行な面で測定すると、前面２１５は、後部壁と実質的に同じ長さである。
【０２２５】
前面２１５と基底壁との間に、前述のヒンジ２０５を規定する。
【０２２６】
前面２１５より、２つの側面２１６が広がる。
【０２２７】
側面２１６は、それぞれの拡大部２５３を備えており、それぞれの拡大部２５３は、例えば、特に三角形状を有していて、上面２１４と隣接している。
【０２２８】
さらに、側面２１６は、それぞれの細長い、例えば、丸くなった部分２５４を備えている。伸長部２５４は、前面２１５と拡大部２５３との間に挿入されており、前面２１５および拡大部２５３を接続している。
【０２２９】
さらに、それぞれの側面２１６は、固定部２２０を備えている。固定部２２０は、それぞれの拡大部２５３と反対側において、それぞれの伸長部２５４と接続されており、具体的には、前面２１５の内面２１９と糊付けされている。
【０２３０】
固定部２２０は、前面２１５の幅の全体にわたって実質的に広がっている。
【０２３１】
固定部２２０は、例えば、直角を有す台形状を有していて、それぞれ第１の端部２２１を備えている。第１の端部２２１は、第２の箱２０１を閉鎖状態にすると、第２の軸Ｚ２と実質的に平行して伸びている。具体的には、第１の端部２２１が互いに近くに配置されていることによって、固定部２２０は、閉鎖本体２０４の幅の全体にわたって実質的に広がっている。
【０２３２】
本発明の実施形態では、図示していないが、第１の端部２２１は、それぞれ間隔を設けており、内面２１９は何もない中間部を有している。
【０２３３】
それぞれの側面２１６は、硬化部２２４を備えている（図２３）。硬化部２２４は、それぞれの伸長部２５４と、それぞれの固定部２２０との間に挿入されている。
【０２３４】
さらに、第２の軸Ｚ２と平行な面で測定すると、硬化部２２４は、伸長部２５４より長くない。
【０２３５】
本発明の実施形態では、図示していないが、第２の軸Ｚ２と平行な面で測定すると、伸長部２５４と実質的に同じ長さになる。
【０２３６】
上記に記述の通り、硬化部２２４によって、伸長部２５４および固定部２２０が接続されており、伸長部２５４および硬化部２２４は、第２の箱２０１を閉鎖状態にすると、第２の軸Ｚ２と実質的に平行して伸びている長軸方向の隙間２２６の境界を成している。
【０２３７】
上記より、それぞれの側面２１６は、少なくとも部分的に、外側の伸長部２５４と、内側の硬化部２２４から形成されることがわかる。
【０２３８】
固定部２２０の上に、破線によって示されている印刷領域（例えば、喫煙者向けの文章、絵または他の情報を含んでいる）が設けられている。
【０２３９】
第２の箱２０１の実施形態では、図２４に示した通り、伸長部２５４は平面で、前面２１５に対して、約１３５°とするα度だけ傾けられている。
【０２４０】
この変形では、硬化部２２４、伸長部２５４、内面２１９が、隙間２２６の境界を成している。
【０２４１】
第２の箱２０１の他の変形では、図２５に示した通り、伸長部２５４は平面で、前面２１５に対して、約９０°とするα度だけ傾けられている。
【０２４２】
また、この変形でも、硬化部２２４、伸長部２５４、内面２１９が、隙間２２６の境界を成している。
【０２４３】
図２２に示した通り、第２の箱２０１が閉鎖状態の時、閉鎖本体２０４の上面２１４は、収納本体２０３の後部壁と同一の高さとなり、側面２１６は、それぞれの側壁２１０と隣接している。
【０２４４】
さらに、第２の箱２０１は、収納本体２０３の内側に配置された内部筐体２０６を備えている（図２６〜図２８において詳細を図示）。内部筐体２０６は、アルミ箔、または金属箔のシートからなる内側の包装紙２０２に包まれた該タバコの群を収納する。内側の包装紙２０２は、従来のタイプであって、普通のタバコの箱に使用される内側の包装紙と比べ、大差ない。
【０２４５】
内部筐体２０６は、主壁２３０を備えており、当該主壁の上に、図２１において破線によって示されている印刷領域（例えば、喫煙者向けの文章、絵または他の情報）が設けられている。
【０２４６】
「Ｕ」の形をした上部の外形２３１と主壁２３０は隣接している。
【０２４７】
２つの小さい壁２３２と主壁２３０は接続されており、２つの小さい壁２３２より、第２の壁２９８が広がる。
【０２４８】
小さい壁２３２の側面に沿って、内側の包装紙２０２が設けられており、内側の包装紙２０２の裏側に、第２の壁２９８が折り畳まれる。
【０２４９】
また、内部筐体２０６は、２つの平らな斜面２３３を備えており、例えば、主壁２３０に対して、約１３５°とするα度だけ傾けられている。２つの平らな斜面によって、主壁２３０および小さい壁２３２が接続されている。
【０２５０】
斜面２３３における、上部の外形２３１近くから、ウイング２９７が外側へ突き出ており、閉鎖本体２０４へのはめ込みに適し、閉鎖本体２０４の閉鎖状態を維持する。
【０２５１】
さらに、内部筐体２０６は、下部の折り蓋２９６を備えている。下部の折り蓋２９６は、主壁２３０と接続されており、上部の外形２３１を補強する周囲に面する。内側の包装紙２０２の下に、下部の折り蓋２９６が折り畳まれる。
【０２５２】
内部筐体２０６は、１対の上部の折り蓋２９５を備えている。それぞれの上部の折り蓋２９５は、それぞれの小さい壁２３２と接続されている。
【０２５３】
具体的には、内側の包装紙２０２の上に、上部の折り蓋２９５が折り畳まれ、内側の包装紙２０２が収まる。
【０２５４】
内部筐体２０６は、収納本体２０３の内側に整理され、側壁２１０において、収納本体２０３と取り付けられる。
【０２５５】
具体的には、側壁２１０と前述の小さい壁２３２を粘着させた方法によって、側壁２１０の内面における１箇所以上で糊付けされているかもしれない。
【０２５６】
上記によって、内側の包装紙２０２の周囲で、内部筐体２０６を閉鎖状態に維持することができる。
【０２５７】
また、通常のタバコの箱として、第２の箱２０１を使用できるかもしれない。
【０２５８】
したがって、従来の箱と同じように、喫煙者は、閉鎖本体２０４をヒンジ２０５の周りに回転させる事によって、第２の箱２０１を開封し、タバコを取り出すことができるかもしれない。
【０２５９】
第２の箱２０１を開けた時、固定部２２０の上、および主壁２３０の上の印刷領域は、喫煙者にとって見やすいということに注目しなければならない。このようにして、喫煙者は、印刷領域内の文章を読み、絵に着眼する。
【０２６０】
上記によって、第２の箱２０１のカスタマイズが可能になり、消費者に対する情報伝達に使用できるスペースの拡大が可能になる。
【０２６１】
実際に、従来の箱で使用してきた、収納本体２０３および閉鎖本体２０４の外面だけでなく、第２の箱２０１の内側に設けられた印刷領域もまた、消費者に対する情報伝達、および考えられるメッセージの広告の印刷に使用できる。
【０２６２】
喫煙者は、タバコを取り出した後、閉鎖本体２０４がウイング２９７とかみあうまで、閉鎖本体２０４をヒンジ２０５の周りに回転させ、第２の箱２０１を閉じる。
【０２６３】
平面なブランク２３５を折って、収納本体２０３および閉鎖本体２０４を組み立てる。例えば、ブランク２３５は厚紙を原料とし、第２の縦の対称軸Ｘ２に沿って展開する。
【０２６４】
図２９に示した通り、ブランク２３５は、収納本体２０３の形成を目的としている第１の部分２３６、および閉鎖本体２０４の形成を目的としている第２の部分２３７を備えている。
【０２６５】
第１の部分２３６および第２の部分２３７を、第２の箱２０１におけるヒンジ２０５の形成を目的としている、折り畳まれることを目的としている線２３８に沿ってつなぐ。
【０２６６】
折り畳まれることを目的としている線２３８は、折り目を含んでもいいし、連結させた点によって離れた、多数の切込みを含んでもいい。
【０２６７】
ブランク２３５は、収納本体２０３の後部壁の形成を目的としている第１のメインパネル２３９を備えている。
【０２６８】
第１の横パネル２４０および第２の横パネル２４１は、第１のメインパネル２３９の両側に設けられている。すなわち第１の横パネル２４０、第１のメインパネル２３９、第２の横パネル２４１の順に、第２の対称軸Ｘ２に沿って設けられているということである。
【０２６９】
第１の横パネル２４０は、収納本体２０３の基底壁の形成を目的としており、第２の横パネル２４１は、収納本体２０３の上部壁２９９の形成を目的としている。
【０２７０】
第１の横パネル２４０は、閉鎖本体２０４の前面２１５の形成を目的としている第２のメインパネル２４３と接続されており、第１の横パネル２４０と第２のメインパネル２４３との間に、上述の折り畳まれることを目的としている線２３８が設けられている。
【０２７１】
第２のメインパネル２４３は、閉鎖本体２０４の上面２１４の形成を目的としている第３の横パネル２４２と接続されている。
【０２７２】
第３の横パネル２４２は、補強のウイング２４４とも接続されている。補強のウイング２４４は、１８０°に折り畳むと、閉鎖本体１０４の部分を補強することができ、また上面２１４の形成を目的とするように設けられている。
【０２７３】
補強のウイング２４４、第３の横パネル２４２、第２のメインパネル２４３、第１の横パネル２４０、第１のメインパネル２３９、第２の横パネル２４１は、第２の対称軸Ｘ２を横切るように、具体的には第２の対称軸Ｘ２に対して垂直に設けられているそれぞれの横の折り目２４５に沿って接続されている。
【０２７４】
さらに、ブランク２３５は、１対の中間パネル２８０を備えている。１対の中間パネル２８０は、第２のメインパネル２４３の両側に設けられており、閉鎖本体２０４の、湾曲した伸長部２５４の形成を目的としている。
【０２７５】
中間パネル２８０は、第１の切込み線２５１を備えている。
【０２７６】
第１の切込み線２５１は、第２の対称軸Ｘ２と実質的に平行しており、それぞれ隣接していて、中間パネル２８０の折り畳みを容易にするように設けられている。
【０２７７】
本発明の実施形態では、図示していないが、中間パネル２８０は第１の切込み線２５１を設けておらず、中間パネル２８０と第２のメインパネル２４３との間に、縦の折り目が設けられている。
【０２７８】
さらに、ブランク２３５は、１対の第１の内側パネル２４６を備えている。１対の第１の内側パネル２４６は、中間パネル２８０の両側に設けられており、閉鎖本体２０４の硬化部２２４の形成を目的としている。
【０２７９】
第１の内側パネル２４６と中間パネル２８０との間には、第１の縦の折り目２５０が設けられている。第１の縦の折り目２５０は、第２の対称軸Ｘ２と実質的に平行に伸びている。
【０２８０】
さらに、ブランク２３５は、１対の第１の外側パネル２４９を備えている。１対の第１の外側パネル２４９は、第１の内側パネル２４６の両側に設けられており、第２の縦の折り目２５２によって、１対の第１の外側パネル２４９と第１の内側パネル２４６とが分かれる。第２の縦の折り目２５２は、第２の対称軸Ｘ２と実質的に平行して伸びている。また、第１の外側パネル２４９は、硬化部２２０の形成を目的としている。
【０２８１】
この方法では、第１の縦の折り目２５０および第２の縦の折り目２５２は、第１の内側パネル２４６と隣接している。
【０２８２】
さらに、ブランク２３５は、１対の第２の内側パネル２４７を備えている。第２の内側パネル２４７は、中間パネル２８０と第１の内側パネル２４６と第１の外側パネル２４９との間に挿入されており、閉鎖本体２０４の拡大部２５３の形成を目的としている。
【０２８３】
斜めの切込み２４８によって、それぞれの第２の内側パネル２４７は、第１の内側パネル２４６および第１の外側パネル２４９と分離する。
【０２８４】
第１のウイング２５５は、第３の横パネル２４２の両側から突き出ており、第３の横パネル２４２の内側へ折り畳み、第２の内側パネル２４７と糊付けされ、拡大部２５３を補強する。
【０２８５】
具体的には、第１のウイング２５５と、第３の横パネル２４２との間に、第３の縦の折り目２５６が設けられている。第３の縦の折り目２５６は、第２の対称軸Ｘ２と実質的に平行して伸びている。
【０２８６】
さらに、ブランク２３５は、１対の第２の外側パネル２５７を備えている。１対の第２の外側パネル２５７は、第１のメインパネル２３９の両側に設けられている。第２の外側パネル２５７と第１のメインパネル２３９との間に、湾曲した部分２１３の形成を目的としている、接続パネル２８１が設けられている。
【０２８７】
具体的には、接続パネル２８１は、第２の切込み線２６１を備えている。第２の切込み線２６１は、第２の対称軸Ｘ２と実質的に平行しており、それぞれ隣接していて、接続パネル２８１の折り畳みを容易にするように設けられている。
【０２８８】
本発明の実施形態では、図示していないが、接続パネル２８１は第２の切込み線２６１を設けておらず、縦の折り目に隣接している。
【０２８９】
第２のウイング２５９は、第２の外側パネル２５７の端と接続されており、第２の外側パネル２５７の内側へ折り畳み、第１の横パネル２４０と糊付けされ、基底壁を補強する。
【０２９０】
粘着性物質を得た後、従来からの折り畳み方の手順に従って、ブランク２３５を折り畳む。従来のブランクと比べた時、ブランク２３５に、追加パネルがないもののように扱う。その結果、一般の機械によるブランク２３５加工で、より頑丈なタバコの箱をつくることができるかもしれない。
【０２９１】
図３０は、内部筐体２０６を得るために使用される内部構造２６３を示す。
【０２９２】
内部構造２６３は、板紙を原料とし得る。金属シート、例えばアルミニウムなどと一体化する可能性が生じる。
【０２９３】
内部構造２６３は、リールを含むパッケージ機械によって、直ちに形成されるかもしれない。内部構造２６３における横断する上部の輪郭２６４、および横断する下部の輪郭２６５と一致する「Ｕ」の輪郭をしたナイフで切断される。さらに、適した切り刃によって、内部構造２６３における２本の内側の弱化線２６６、２本の外側の弱化線２６７、２本の中間の弱化線２６８を得ることができる。外側の弱化線２６７は、内側の弱化線２６６より外側に設けられている。
【０２９４】
さらに、内部構造２６３における下部の範囲にて、内側の弱化線２６６、中間の弱化線２６８、外側の弱化線２６７に対して、横方向に設けられている横断する弱化線２６９を得ることができる。
【０２９５】
最後に、内部構造２６３における上部の範囲にて、内側の弱化線２６６、中間の弱化線２６８、外側の弱化線２６７に対して、横方向に設けられているさらなる横断する弱化線２９０を得ることができる。
【０２９６】
内側の弱化線２６６と、横方向に設けられている横断する弱化線２６９とに挟まれるように、第１のパネル２７０を規定する。第１のパネル２７０は、内部筐体２０６の主壁２３０の形成を目的としている。
【０２９７】
２枚の側部パネル２７１は、第１のパネル２７０の両側に設けられており、それぞれ側部パネル２７１は、内側の弱化線２６６と、中間の弱化線２６８との間に挿入されている。
【０２９８】
それぞれの側部パネル２７１は、内部筐体２０６の小さい壁２３２の形成を目的としている。
【０２９９】
２枚の中間パネル２７２は、側部パネル２７１の両側に設けられており、中間の弱化線２６８と、外側の弱化線２６７との間に、それぞれのパネルが設けられている。
【０３００】
それぞれの中間パネル２７２は、内部筐体２０６の小さい壁２３２の形成を目的としている。
【０３０１】
さらに、２枚の外側パネル２７３は、中間パネル２７２の外側に設けられており、外側の弱化線２６７に沿って、対応する中間パネル２７２にそれぞれの外側パネルが接続されている。
【０３０２】
外側パネル２７３を、内側の包装紙２０２の内側へ折り畳むことによって、第２の壁２９８の形成を目的としている。
【０３０３】
この方法では、内部構造２６３を折った後、内部筐体２０６が内部構造２６３によって４面とも囲まれることになる。
【０３０４】
横断する弱化線２６９と、横断する下部の輪郭２６５との間に、先端パネル２７４を規定する。先端パネル２７４は、内側の包装紙２０２の下へ折り畳むことに適しており、下部の折り蓋２９６の形成を目的としている。
【０３０５】
さらに、設けられているさらなる横断する弱化線２９０と、横断する上部の輪郭２６４との間に、さらなる先端パネル２８９を規定する。さらなる先端パネル２８９は、内側の包装紙２０２の上へ折り畳むことに適しており、上部の折り蓋２９５の形成を目的としている。
【０３０６】
最後に、内部構造２６３において、「Ｃ」の形をしたさらなる切込み２８８が２つ設けられており、ウイング２９７の形成を目的としている。
【０３０７】
パッケージ過程において、内側の包装紙２０２の周囲に、内部構造２６３を折り畳み、従来の内部構造における粘着箇所と同じ箇所で、内側の包装紙と内部構造とを粘着させる。
【０３０８】
従来の内部構造用折り畳み装置と同じような装置を使用することによって、内側の包装紙２０２の周囲に、内部構造２６３を折り畳むことができるかもしれない。
【０３０９】
内部筐体２０６の周囲に、ブランク２３５を折り畳むことによって、収納本体２０３および閉鎖本体２０４を組み立てる。
【０３１０】
従来の機械と比べ大差ないパッケージ機械を使用することによって、第２の箱２０１をも製造できる点は、上記に提示した内容によって明白である。
【０３１１】
図３１〜図３８では、本発明による煙草製品、特にタバコ用の第３の箱３０１の第３の例を示すものである。
【０３１２】
第３の箱３０１は、頑丈なタイプで、第３の長軸Ｚ３に沿って伸び、実質的に直方体をなす。
【０３１３】
例えば、頑丈な板紙を原料とする第３の箱３０１は、内側の包装紙３０２に包まれたタバコの群を収納するのに適していて、タバコを収納する収納本体３０３、喫煙者がタバコを取り出すために開閉可能な閉鎖本体３０４を備えている。
【０３１４】
収納本体３０３は、基底壁３０７を備えており、例えば、加工された輪郭の形をなし、基底壁３０７から後部壁３０９が広がる。
【０３１５】
後部壁３０９における反対の位置にある側部から、２つの側壁３１０が広がる。
【０３１６】
側壁３１０は、特に台形状を有していて、後部壁３０９と比べ広くない。
【０３１７】
後部壁３０９における、基底壁３０７の反対の位置にある側部から、上部壁３９９が広がる。例えば、上部壁は、加工された輪郭の形をなす。
【０３１８】
具体的には、第３の箱３０１が閉鎖状態の時、基底壁３０７は、上部壁３９９と対向している。
【０３１９】
下記に詳細を記述するが、閉鎖本体３０４は、主本体３９２を備えている。主本体３９２をスライドすることによって、収納本体３０３および蓋３９６と接続されている。
【０３２０】
具体的には、煙草製品を収納するための収納本体３０３と連動する主本体３９２は、ヒンジ３０５によって、蓋３９６と接続されている。ヒンジ３０５の周りを回転させる事によって、蓋３９６は、開封状態（図３３）を取ることも、閉鎖状態（図３１）を取ることもできる。
【０３２１】
蓋３９６は、上面３１４を備えており、上面３１４は、閉鎖状態の時、基底壁３０７と対向しており、上部壁３９９に面する。
【０３２２】
第３の箱３０１が閉鎖状態の時、前面３１５は、上面３１４と接続されており、第３の軸Ｚ３と平行している前面３１５を平面で測定すると、前面３１５は、後部壁３０９より長くない。
【０３２３】
具体的には、第３の箱３０１が閉鎖状態の時、前面３１５は、後部壁３０９と対向している。
【０３２４】
前面３１５より、２つの側面３１６が広がる。
【０３２５】
側面３１６は、それぞれの拡張部３５３を備えており、それぞれの拡張部３５３は、例えば、特に台形状を有していて、上面３１４と隣接している。さらに、側面３１６は、それぞれの細長い、例えば、丸くなった部分３５４を備えている。伸長部３５４は、前面３１５と拡張部３５３との間に挿入されており、前面３１５と拡張部３５３とを接続している。主本体３９２は、後部壁３０９と対向しているさらなる前面３８７を備えている。
【０３２６】
さらなる前面３８７と、前面３１５との間に、ヒンジ３０５を規定する。
【０３２７】
さらなる前面３８７の対辺から、２つのさらなる側面３８９が広がる。前面３８７およびさらなる側面３８９は、基底壁３０７の下部の輪郭３８８を補強するように設けられている。
【０３２８】
前述のさらなる側面３８９は、それぞれが前面３８７より広くない。
【０３２９】
具体的には、それぞれのさらなる側面３８９は、それぞれのさらなる伸長部３８６を備えている。
【０３３０】
それぞれのさらなる伸長部３８６は、例えば、丸い、さらなる前面３８７と接続された第１の部分３８５、および例えば、実質的に平面な、それぞれの第１の部分３８５と接続された第２の部分３８４を備えている。
【０３３１】
それぞれのさらなる側面３８９は、固定部３２０を備えている（図３４）。固定部３２０は、それぞれのさらなる伸長部３８６と接続されており、具体的には、さらなる前面３８７の内面３１９と糊付けされている。固定部３２０は、さらなる前面３８７の幅の全体にわたって実質的に広がっている。
【０３３２】
固定部３２０は、例えば、長方形状を有しており、それぞれ第１の端部３２１を備えている。それぞれ第１の端部３２１は、第３の箱３０１を閉鎖状態にすると、第３の軸Ｚ３と実質的に平行して伸びている。
【０３３３】
具体的には、第１の端部３２１が互いに近くに配置されていることによって、固定部３２０は、閉鎖本体３０４の幅の全体にわたって実質的に広がっている。
【０３３４】
本発明の実施形態では、図示していないが、第１の端部３２１は、それぞれ間隔を設けており、内面３１９は何もない中間部を有している。
【０３３５】
それぞれのさらなる側面３８９は、硬化部３２４を備えている（図３４）。硬化部３２４は、それぞれのさらなる伸長部３８６と、それぞれの固定部３２０との間に挿入されている。
【０３３６】
具体的には、硬化部３２４は、それぞれの第２の部分３８４と、それぞれの固定部３２０との間に挿入されている。
【０３３７】
さらに、第３の軸Ｚ３と平行な面で測定すると、硬化部３２４は、さらなる伸長部３８６と実質的に同じ長さになる。
【０３３８】
上述の通り、硬化部３２４によって、さらなる伸長部３８６と固定部３２０が接続されている。第３の箱３０１を閉鎖状態にすると、さらなる伸長部３８６および硬化部３２４は、第３の軸Ｚ３と実質的に平行して伸びている長軸方向の隙間３２６の境界を成している。
【０３３９】
上記より、それぞれのさらなる側面３８９は、少なくとも部分的に、外側のさらなる伸長部３８６、および内側の硬化部３２４から形成されることがわかる。
【０３４０】
図示していないが、固定部３２０の上に、印刷領域（例えば、喫煙者向けの文章、絵または他の情報）が設けられている。
【０３４１】
図示していないが、第３の箱３０１の変形では、さらなる伸長部３８６は平面で、さらなる前面３８７に対して、約１３５°とするα度だけ傾けられている。
【０３４２】
この変形では、硬化部３２４、さらなる伸長部３８６、内面３１９が、隙間３２６の境界を成している。
【０３４３】
図示していないが、第３の箱３０１の他の変形では、さらなる伸長部３８６は平面で、さらなる前面３８７に対して、約９０°とするα度だけ傾けられている。
【０３４４】
また、この変形でも、硬化部３２４、さらなる伸長部３８６、内面３１９が、隙間３２６の境界を成している。
【０３４５】
図３１、および図３２に示した通り、第３の箱３０１が閉鎖状態の時、蓋３９６の上面３１４は、収納本体３０３の後部壁３０９と平面をなし、側面３１６は、それぞれのさらなる側面３８９と隣接し、それぞれの側壁３１０と実質的に一つの平面をなす。
【０３４６】
具体的には、側面３１６は、さらなる側面３８９と隣接している。
【０３４７】
さらに、第３の箱３０１が閉鎖状態の時、下部の輪郭３８８は、基底壁３０７の輪郭と隣接し、実質的に一つの平面をなす。
【０３４８】
さらに、第３の箱３０１は、収納本体３０３の内側に配置された内部筐体３０６を備えている。
【０３４９】
内部筐体３０６は、アルミ箔、または金属箔のシートからなる内側の包装紙３０２に包まれた該タバコの群を収納する。内側の包装紙３０２は、従来のタイプであって、普通のタバコの箱に使用される内側の包装紙と比べ、大差ない。
【０３５０】
内部筐体３０６は、主壁３３０を備えており、当該主壁の上に印刷領域（例えば、喫煙者向けの文章、絵または他の情報）が設けられている（図示せず）。
【０３５１】
「Ｕ」の形をした上部の外形３３１と主壁３３０は隣接している。
【０３５２】
図示していないが、２つの小さい壁３３２と主壁３３０は接続されており、２つの小さい壁３３２より、第２の壁が広がる。
【０３５３】
小さい壁３３２の側面に沿って、内側の包装紙３０２が設けられており、内側の包装紙３０２の裏側に、第２の壁が折り畳まれる。
【０３５４】
さらに、内部筐体３０６は、２つの平面な斜面３３３を備えている。２つの平らな斜面３３３は、主壁３３０に対して傾けられていて、２つの平らな斜面によって、主壁３３０および小さい壁３３２が接続されている。
【０３５５】
斜面３３３の上位角３８０における、上部の外形３３１近くから、ウイング３９７が外側へ突き出ており、蓋３９６に含まれるＶ字型の切込み３９９´へのはめ込みに適し、蓋３９６を閉鎖状態に維持する。
【０３５６】
さらに、内部筐体３０６は、さらなるウイング３８２を備えている（図３５および図３６）。さらなるウイング３８２は、ウイング３９７より下位に設けられており、斜面３３３の内部角３７９（すなわち上位角３８０より第３の軸Ｚ３に近いところ）から外側に突出している。具体的には、２対のさらなるウイング３８２が設けられており、第３の軸Ｚ３に沿って、特定の距離だけ超えて配置されている。さらなるウイング３８２は、長軸方向の通路３７８へのはめ込みに適している。長軸方向の通路３７８は、硬化部３２４と固定部３２０との間に設けられており、第３の軸Ｚ３と実質的に平行して伸びている。
【０３５７】
すなわち、使用にあたり、長軸方向の通路３７８の中にさらなるウイング３８２を維持させ、長軸方向の通路３７８で長軸方向に滑らせる。
【０３５８】
この方法では、滑らせることによって収納本体３０４が、収納本体３０３と接続されている。さらに、内部筐体３０６は、下部の折り蓋（図示せず）を備えている。下部の折り蓋は、主壁３３０と接続されており、上部の外形３３１を補強する周囲に面する。内側の包装紙３０２の下に、下部の折り蓋が折り畳まれる。
【０３５９】
内部筐体３０６は、１対の上部の折り蓋（図示せず）を備えている。それぞれの上部の折り蓋は、それぞれの小さい壁３３２と接続されている。
【０３６０】
具体的には、内側の包装紙３０２の上に、上部の折り蓋が折り畳まれ、内側の包装紙３０２が収まる。
【０３６１】
内部筐体３０６は、収納本体３０３の内側に配置され、後部壁３０９および／または側壁３１０において、収納本体３０３と取り付けられる。
【０３６２】
具体的には、後部壁３０９および／または側壁３１０と、対応する第２の壁、および小さい壁３３２を粘着させた方法によって、後部壁３０９の内面および／または側壁３１０の内面における１箇所以上で糊付けされているかもしれない。
【０３６３】
上記によって、内側の包装紙３０２の周囲で、内部筐体３０６を閉鎖状態に維持することができる。
【０３６４】
また、通常のタバコの箱として、第３の箱３０１を使用できるかもしれない。
【０３６５】
したがって、従来の箱と同じように、喫煙者は、蓋３９６をヒンジ３０５の周りに回転させる事によって、第３の箱３０１を開封し、タバコを取り出すことができるかもしれない。
【０３６６】
喫煙者は、タバコを取り出した後、蓋３９６がウイング３９７とかみあうまで、蓋３９６をヒンジ３０５の周りに回転させ、第３の箱３０１を閉じる。
【０３６７】
かわりに、前述したように、喫煙者が、収納本体３０３に対して閉鎖本体３０４を滑らせてもいい。片手に収納本体３０３を持ち、もう一方の手で閉鎖本体３０４をつかみ、収納本体３０３に対して閉鎖本体３０４を滑らせるように力を加える。この方法では、それぞれの長軸方向の通路３７８とかみあった、さらなるウイング３８２を介して、内部筐体３０６と、閉鎖本体３０４が取り付けられた状態で、収納本体３０３に対して閉鎖本体３０４を滑らせる。
【０３６８】
従って、使用者は、収納本体３０３に対して、蓋３９６が固定されるところまで、閉鎖本体３０４を滑らせる。
【０３６９】
これが発生した時、蓋３９６は、収納本体３０３の後部壁３０９と離れる。
【０３７０】
具体的には、収納本体３０３に対して、さらなるウイング３８２が長軸方向の通路３７８における第１の先端領域に接する最下部に配置されるまで、閉鎖本体３０４を滑らせる。第１の先端領域は、収納本体３０３の基底壁３０７に近く、１対のさらなるウイング３８２にとって、止め具、または先端の緩衝として機能する。
【０３７１】
収納本体３０３に対して、閉鎖本体３０４を、少なくとも部分的に滑らせ、蓋３９６をヒンジ３０５の周りに回転させて、使用者はタバコを取り出せる。
【０３７２】
１本以上のタバコを取り出した後、使用者は再び収納本体３０３に対して、さらなるウイング３８２が長軸方向の通路３７８の第２の先端領域に接する最上部に配置されるまで、閉鎖本体３０４を滑らせる。第２の先端領域は、第１の先端領域と対向しており、さらに１対のさらなるウイング３８２にとって、止め具、または先端の緩衝として機能する。
【０３７３】
続いて、使用者は蓋３９６を閉じ、蓋３９６に含まれるＶ字型の切込みと、ウイング３９７を連動させることで閉鎖状態を維持する。上記によって、再び、第３の箱３０１は、従来の頑丈な箱の形に戻る。
【０３７４】
収納本体３０３と閉鎖本体３０４を、第３の軸Ｚ３を含む第３の箱３０１の長軸方向の平面に沿って分離し、上記長軸方向の平面上で滑らせるということに注目しなければならない。
【０３７５】
さらに、第３の箱３０１を開けた時、固定部３２０の上、および主壁３３０の上の印刷領域は、喫煙者にとって見やすいということに注目しなければならない。このようにして、喫煙者は、印刷領域内の文章を読み、絵に着眼する。
【０３７６】
上記によって、第３の箱３０１のカスタマイズが可能になり、消費者に対する情報伝達に使用できるスペースの拡大が可能になる。
【０３７７】
実際に、従来の箱で使用してきた、収納本体３０３、および閉鎖本体３０４の外面だけでなく、第３の箱３０１の内側に設けられた印刷領域もまた、消費者に対する情報伝達または考えられるメッセージ広告の印刷に使用できる。
【０３７８】
平面なブランク３３５を折って、収納本体３０３および閉鎖本体３０４を組み立てる。例えば、ブランク３３５は厚紙を原料とし、第３の縦の対称軸Ｘ３に沿って展開する。
【０３７９】
図３９に示した通り、ブランク３３５は、収納本体３０３の形成を目的としている第１の部分３３６、および閉鎖本体３０４の形成を目的としている第２の部分３３７を備えている。
【０３８０】
事前に切込みをいれた線３１７に沿って、第１の部分３３６および第２の部分３３７が接続されている。続けて、事前に切込みをいれた線３１７に沿って、第３の箱３０１を切り、第１の部分３３６と第２の部分３３７を切り離す。さらに、ブランク３３５は、収納本体３０３の後部壁３０９の形成を目的としている第１のメインパネル３３９を備えている。
【０３８１】
第１の横パネル３４０および第２の横パネル３４１は、第１のメインパネル３３９の両側に設けられている。すなわち第１の横パネル３４０、第１のメインパネル３３９、第２の横パネル３４１の順に、第３の対称軸Ｘ３に沿って設けられているということである。
【０３８２】
第１の横パネル３４０は、収納本体３０３の基底壁３０７の形成を目的としており、第２の横パネル３４１は、収納本体３０３の上部壁３９９の形成を目的としている。
【０３８３】
第１の横パネル３４０は、閉鎖本体３０４のさらなる前面３８７の形成を目的としている第２のメインパネル３４３と接続されており、第１の横パネル３４０と第２のメインパネル３４３との間に、上述の事前に切込みをいれた線３１７が設けられている。
【０３８４】
第２のメインパネル３４３は、蓋３９６の上面３１４の形成を目的としている第３の横パネル３４２と接続されている。第２のメインパネル３４３と第３の横パネル３４２との間に、蓋３９６の前面３１５の形成を目的とする第４の横パネル３７７が挿入されている。
【０３８５】
第３の横パネル３４２は、補強のウイング３４４とも接続されている。補強のウイング３４４は、１８０°に折り畳むと、蓋３９６の部分を補強することができ、また上面３１４の形成を目的として設けられている。
【０３８６】
第２のメインパネル３４３および第４の横パネル３７７を、第３の箱３０１におけるヒンジ３０５の形成を目的とする、折り畳まれることを目的としている線３３８に沿って接続されている。
【０３８７】
折り畳まれることを目的としている線３３８は、折り目を含んでもいいし、連結させた点によって離れた、多数の切込みを含んでもいい。
【０３８８】
補強のウイング３４４および第３の横パネル３４２、第３の横パネル３４２および第４の横パネル３７７、第１の横パネル３４０および第１のメインパネル３３９、第１のメインパネル３３９および第２の横パネル３４１は、第３の対称軸Ｘ３を横切るように、具体的には第３の対称軸Ｘ３に対して垂直に設けられているそれぞれの横の折り目３４５に沿って接続されている。
【０３８９】
さらに、ブランク３３５は、１対の中間パネル３８０を備えている。１対の中間パネル３８０は、第２のメインパネル３４３の両側に設けられており、主本体３９２のさらなる伸長部３８６の形成を目的としている。
【０３９０】
中間パネル３８０は、第１の切込み線３５１を備えている。
【０３９１】
第１の切込み線３５１は、第３の対称軸Ｘ３と実質的に平行しており、それぞれ隣接していて、第１の部分３８５を形成するために、中間パネル３８０の折り畳みを容易にするように設けられている。
【０３９２】
本発明の実施形態では、図示していないが、中間パネル３８０は第１の切込み線３５１を設けておらず、中間パネル３８０と第２のメインパネル３４３との間に、縦の折り目が設けられている。
【０３９３】
さらに、ブランク３３５は、１対の第１の内側パネル３４６を備えている。１対の第１の内側パネル３４６は、中間パネル３８０の両側に設けられており、閉鎖本体３０４の硬化部３２４の形成を目的としている。
【０３９４】
第１の内側パネル３４６と中間パネル３８０との間には、第１の縦の折り目３５０が設けられており、第３の対称軸Ｘ３と実質的に平行して伸びている。
【０３９５】
さらに、ブランク３３５は、１対の第１の外側パネル３４９を備えている。１対の第１の外側パネル３４９は、第１の内側パネル３４６の両側に設けられており、第２の縦の折り目３５２によって、１対の第１の外側パネル３４９と第１の内側パネル３４６とが分かれる。第２の縦の折り目３５２は、第３の対称軸Ｘ３と実質的に平行して伸びている。また、第１の外側パネル３４９は、硬化部３２０の形成を目的としている。
【０３９６】
この方法では、第１の縦の折り目３５０と第２の縦の折り目３５２は、第１の内側パネル３４６と隣接している。
【０３９７】
さらに、ブランク３３５は、直線の切込み３７６を備えている。直線の切込み３７６は、第２の縦の折り目３５２上に突き出しており、長軸方向の通路３７８の形成を目的としている。パネル３４７は、第４の横パネル３７７の両側に設けられており、蓋３９６の拡張部３５３の形成を目的としている。
【０３９８】
具体的には、さらなる中間パネル３９３は、パネル３４７と、第４の横パネル３７７との間に設けられている。
【０３９９】
さらなる中間パネル３９３は、さらなる第１の縦の折り目３９１を備えている。
【０４００】
さらなる第１の縦の折り目３９１は、第３の対称軸Ｘ３と実質的に平行しており、それぞれ隣接していて、さらなる中間パネル３９３の折り畳みを容易にするように設けられている。さらなる第１の縦の折り目３９１は、側面３１６の伸長部３５４の形成を目的としている。第１のウイング３５５は、第３の横パネル３４２の両側から突き出しており、第３の横パネル３４２の内側へ折り畳み、パネル３４７と糊付けされ、拡張部３５３を補強する。
【０４０１】
具体的には、第１のウイング３５５と、第３の横パネル３４２との間に、第３の縦の折り目３５６が設けられており、第３の対称軸Ｘ３と実質的に平行して伸びている。
【０４０２】
また、第１のウイング３５５には、細長い隙間３７５が設けられている。細長い隙間３７５は、丸い頂点を有す三角形状で、前述のＶ字型の切込み３９９´の形成を目的としている。
【０４０３】
さらに、ブランク３３５は、１対の第２の外側パネル３５７を備えている。第２の外側パネル３５７は、第１のメインパネル３３９の両側に設けられている。
【０４０４】
第２のウイング３５９は、第２の外側パネル３５７の端と接続されており、第２の外側パネル３５７の内側へ折り畳み、第１の横パネル３４０と糊付けされ、基底壁３０７を補強する。
【０４０５】
粘着性物質を得た後、従来からの折り畳み方の手順に従って、ブランク３３５を折り畳む。従来のブランクと比べた時、ブランク３３５に、追加パネルがないもののように扱う。その結果、一般の機械によるブランク３３５加工で、より頑丈なタバコの箱をつくることができるかもしれない。
【０４０６】
図４０は、内部筐体３０６を得るために使用される内部構造３６３を示す。
【０４０７】
内部構造３６３は、板紙を原料とし得る。金属シート、例えばアルミニウムなどと一体化する可能性が生じる。
【０４０８】
内部構造３６３は、リールを含むパッケージ機械によって、直ちに形成されるかもしれない。内部構造３６３における、横断する上部の輪郭３６４、および横断する下部の輪郭３６５と一致する輪郭をしたナイフで切断される。
【０４０９】
さらに、適した切り刃によって、内部構造３６３における２本の内側の弱化線３６６、２本の外側の弱化線３６７、２本の中間の弱化線３６８を得ることができる。外側の弱化線３６７は、内側の弱化線３６６より外側に設けられている。
【０４１０】
さらに、内部構造３６３における下部の範囲にて、内側の弱化線３６６、中間の弱化線３６８、外側の弱化線３６７に対して、横方向に設けられている横断する弱化線３６９を得ることができる。
【０４１１】
最後に、内部構造３６３における上部の範囲にて、内側の弱化線３６６、中間の弱化線３６８、外側の弱化線３６７に対して、横方向に設けられているさらなる横断する弱化線３９０を得ることができる。
【０４１２】
内側の弱化線３６６と、横方向に設けられている横断する弱化線３６９とに挟まれるように、第１のパネル３７０を策定する。第１のパネル３７０は、内部筐体３０６の主壁３３０の形成を目的としている。
【０４１３】
２枚の側部パネル３７１は、第１のパネル３７０の両側に設けられており、それぞれの側部パネル３７１は、内側の弱化線３６６と、中間の弱化線３６８との間に、挿入されている。
【０４１４】
それぞれの側部パネル３７１は、内部筐体３０６の斜面３３３の形成を目的としている。
【０４１５】
２枚の中間パネル３７２は、側部パネル３７１の両側に設けられており、それぞれの中間パネル３７２は、中間の弱化線３６８と外側の弱化線３６７との間に、挿入されている。それぞれの中間パネル３７２は、内部筐体３０６の小さい壁３３２の形成を目的としている。
【０４１６】
さらに、２枚の外側パネル３７３は、中間パネル３７２の外側に設けられており、外側の弱化線３６７に沿って、それに対応する中間パネル３７２およびそれぞれのパネルとが接続されている。
【０４１７】
外側パネル３７３を、内側の包装紙３０２の内側へ折り畳むことによって、第２の壁の形成を目的としている。
【０４１８】
この方法では、内部構造３６３を折った後、内部筐体３０６が内部構造３６３によって４面とも囲まれることになる。
【０４１９】
横断する弱化線３６９と、横断する下部の輪郭３６５との間に、先端パネル３７４を規定する。先端パネル３７４は、内側の包装紙３０２の下へ折り畳むことに適しており、下部の折り蓋の形成を目的としている。
【０４２０】
また、横断する弱化線３９０と横断する上部の輪郭３６４との間に、さらなる先端パネルを規定する。さらなる先端パネルは、内側の包装紙３０２の下へ折り畳むことに適しており、上部の折り蓋の形成を目的としている。
【０４２１】
さらに、内部構造３６３において（具体的には、中間の弱化線３６８に沿って、横断する上部の輪郭３６４の近くで）、「Ｃ」の形をしたさらなる切込み３８８が２つ設けられており、ウイング３９７の形成を目的としている。
【０４２２】
最後に、内部構造３６３において（具体的には、内側の弱化線３６６に沿って、横断する上部の輪郭３６４の近くで）、「Ｃ」の形をしたさらなる切込み３９４が４つ設けられており、さらなるウイング３８２の形成を目的としている。
【０４２３】
パッケージ過程において、内側の包装紙３０２の周囲に、内部構造３６３を折り畳み、従来の内部構造における粘着箇所と同じ箇所で、内側の包装紙と内部構造とを粘着させる。
【０４２４】
図４１〜図４６では、本発明による煙草製品、特にタバコ用の第４の箱４０１の第４の例を示すものである。
【０４２５】
第４の箱４０１は、頑丈なタイプで、第４の長軸Ｚ４に沿って伸び、実質的に直方体をなす。
【０４２６】
具体的には、第４の箱４０１は、はす縁タイプである。
【０４２７】
例えば、頑丈な板紙を原料とする第４の箱４０１は、内側の包装紙４０２に包まれたタバコの群を収納するのに適していて、タバコを収納する収納本体４０３、喫煙者がタバコを取り出すために開閉可能な閉鎖本体４０４を備えている。
【０４２８】
収納本体４０３は、基底壁４０７を備えている。基底壁４０７から、後部壁４０９、および基底壁４０７における、後部壁４０９の反対の位置にある側部から、前部壁４０８が広がり、第４の長軸Ｚ４と平行な面で測定すると、後部壁４０９は、前部壁４０８（図４４）より広い。
【０４２９】
２つの側壁４１０は、前部壁４０８と、後部壁４０９との間に挿入されており、２つの側壁４１０は、前部壁４０８および後部壁４０９に比べ広くない。
【０４３０】
側壁４１０は、実質的に変則的な六角形状を有していて、後部壁４０９対して約１３５°とするα度だけ傾けられている平らな部分４１３または斜面によって、後部壁４０９と接続されている。
【０４３１】
具体的には、側壁４１０、平らな部分４１３、後部壁４０９は、上側において、「Ｕ」の形をした上部の外形４０９´の境界を成している。
【０４３２】
本発明の実施形態では、図示していないが、平面な部分４１３ではない、湾曲した部分が設けられている。
【０４３３】
下記に詳細を示すが、閉鎖本体４０４は、収納本体４０３および蓋４９６と接続された主本体４９２を備えている。
【０４３４】
具体的には、煙草製品を収納するための収納本体４０３と連動する主本体４９２は、ヒンジ４０５によって、蓋４９６と接続されている。ヒンジ４０５を回転させる事によって、蓋４９６は、開封状態（図４１〜図４４）を取ることも、閉鎖状態（図４５および図４６）を取ることもできる。
【０４３５】
さらに、主本体４９２は、さらなるヒンジ４０５´によって、前部壁４０８と接続されている。さらなるヒンジ４０５´を回転させる事によって、主本体４９２は、開封状態（図４１〜図４４）を取ることも、閉鎖状態（図４５および図４６）を取ることもできる。
【０４３６】
具体的には、ヒンジ４０５、およびさらなるヒンジ４０５´は、実質的に平行で、一つの平面上にある。
【０４３７】
蓋４９６は、上面４１４を備えており、上面４１４は、閉鎖状態の時、基底壁４０７と対向している。
【０４３８】
後部面４１５´は、上面４１４と接続されており、第４の箱４０１が閉鎖状態の時、第４の軸Ｚ４と平行な面で測定すると、後部面４１５´は、後部壁４０９より長くない。
【０４３９】
具体的には、第４の箱４０１が閉鎖状態の時、後部面４１５´は、後部壁４０９と隣接している。
【０４４０】
後部面４１５´より、２つの側面４１６が広がる。
【０４４１】
側面４１６は、それぞれの拡張部４５３を備えており、それぞれの拡張部４５３は、例えば、特に台形状を有していて、上面４１４と隣接している。
【０４４２】
さらに、側面４１６は、それぞれの細長い、例えば、平らな部分４５４、または斜面を備えている。伸長部４５４、または斜面は、後部面４１５´と拡張部４５３との間に挿入されており、後部面４１５´および拡張部４５３を接続している。
【０４４３】
さらに、主本体４９２は、後部面４１５´対向している前面４１５を備えている。前面４１５は、側面４１６と接続されている。
【０４４４】
主本体４９２は、第４の箱４０１が閉鎖状態の時、後部壁４０９と対向しているさらなる前面４８７を備えている。
【０４４５】
さらなる前面４８７と、前面４１５との間に、ヒンジ４０５を規定する。さらなる前面４８７と、前部壁４０８との間に、さらなるヒンジ４０５´を規定する。
【０４４６】
さらなる前面４８７の対辺から、２つのさらなる側面４８９が広がる。２つのさらなる側面４８９は、特に二等辺の台形状を有している。
【０４４７】
具体的には、さらなる側面４８９は、側壁４１０の上位部分の輪郭を補強する、側面に沿った輪郭４８８´を規定する。
【０４４８】
前述のさらなる側面４８９は、それぞれがさらなる前面４８７より広くない。
【０４４９】
具体的には、それぞれのさらなる側面４８９は、それぞれのさらなる伸長部４８６を備えている。
【０４５０】
それぞれのさらなる伸長部４８６は、平面で、さらなる前面４８７に対して、約９０°だけ傾けられている。
【０４５１】
さらに、それぞれのさらなる側面４８９は、固定部４２０を備えている（図４１）。固定部４２０は、それぞれのさらなる伸長部４８６と接続されており、具体的には、さらなる前面４８７の内面４１９と糊付けされている。本発明の実施形態では、図示していないが、固定部４２０は、さらなる前面４８７の幅の全体にわたって実質的に広がっている。
【０４５２】
固定部４２０は、例えば、台形状を有している、それぞれ第１の端部４２１を備えている。それぞれ第１の端部４２１は、第４の箱４０１を閉鎖状態にすると、第４の軸Ｚ４と実質的に平行して伸びている。
【０４５３】
具体的には、第１の端部４２１は、それぞれ間隔を設けており、内面４１９は何もない中間部を有している。
【０４５４】
本発明の実施形態では、図示していないが、第１の端部４２１が互いに近くに配置されていることによって、固定部４２０は、閉鎖本体４０４の幅の全体にわたって実質的に広がっている。
【０４５５】
それぞれのさらなる側面４８９は、例えば、台形状を有している硬化部４２４を備えている（図４１）。硬化部４２４は、それぞれのさらなる伸長部４８６と、それぞれの固定部４２０との間に挿入されている。
【０４５６】
さらに、第４の軸Ｚ４と平行な面で測定すると、硬化部４２４は、さらなる伸長部４８６より長くない。
【０４５７】
上記に記述の通り、硬化部４２４によって、さらなる伸長部４８６と固定部４２０が接続されている。第４の箱４０１を閉鎖状態にすると、さらなる伸長部４８６、硬化部４２４およびさらなる前面４８７の内面４１９は、長軸方向の隙間４２６の境界を成している。長軸方向の隙間４２６は、第４の軸Ｚ４と実質的に平行である。
【０４５８】
上記より、それぞれのさらなる側面４８９は、少なくとも部分的に、外側のさらなる伸長部４８６、および内側の硬化部４２４から形成されることがわかる。
【０４５９】
固定部４２０の上に、破線によって示されている印刷領域（例えば、喫煙者向けの文章、絵または他の情報）が設けられている。
【０４６０】
図示していないが、第４の箱４０１の変形では、さらなる伸長部４８６は、湾曲する。
【０４６１】
また、この変形でも、硬化部４２４、さらなる伸長部４８６、内面４１９が、隙間４２６の境界を成している。
【０４６２】
図示していないが、第４の箱４０１の他の変形では、さらなる伸長部４８６は平面で、さらなる前面４８７に対して、約１３５°とするα度だけ傾けられている。
【０４６３】
また、この変形でも、硬化部４２４、さらなる伸長部４８６、内面４１９が、隙間４２６の境界を成している。
【０４６４】
図４５、および図４６に示した通り、第４の箱４０１が閉鎖状態の時、蓋４９６の後部面４１５´は、収納本体４０３の後部壁４０９と平面をなす。
【０４６５】
具体的には、蓋４９６における下部の端部４２９は、収納本体４０３における上部の端部４０９´を補強し、上部の端部４０９´と平面をなす。
【０４６６】
さらに、第４の箱４０１が閉鎖状態の時、側面４１６は、それぞれのさらなる側面４８９と隣接し、それぞれの側壁４１０と実質的に一つの平面をなす。側部の輪郭４８８´は、基底壁４１０における上位部分のさらなる側部の輪郭４１０´と隣接し、実質的に一つの平面をなす。
【０４６７】
具体的には、側面４１６は、さらなる側面４８９と隣接している。
【０４６８】
さらに、第４の箱４０１は、収納本体４０３の内側に配置された内部筐体４０６を備えている。
【０４６９】
内部筐体４０６は、アルミ箔、または金属箔のシートからなる内側の包装紙４０２に包まれた該タバコの群を収納する。
【０４７０】
内側の包装紙４０２は、従来のタイプであって、普通のタバコの箱に使用される内側の包装紙と比べ、大差ない。
【０４７１】
内部筐体４０６は、主壁４３０を備えており、主壁４３０は、例えば、先の尖った「Ｕ」の形をした上部の外形４３１と隣接している。本発明の実施形態では、主壁４３０は、破線によって示されている印刷領域（例えば、喫煙者向けの文章、絵または他の情報を含んでいる）を備えている（図示せず）。２つの小さい壁４３２、および主壁４３０は接続されており、２つの小さい壁４３２より、第２の壁４９８が広がる。第２の壁４９８は、印刷領域（図示せず）を備えている。例えば、喫煙者向けの文章、絵または他の情報である。
【０４７２】
小さい壁４３２の側面に沿って、内側の包装紙４０２が設けられており、内側の包装紙４０２の裏側に、主壁４３０と対向している第２の壁４９８が折り畳まれる。
【０４７３】
具体的には、第２の壁４９８は、それぞれさらなる第１の端部４２１´を備えている。さらなる第１の端部４２１´は、内部筐体４０６の閉鎖状態において第４の軸Ｚ４と実質的に平行して伸びており、それぞれは隣接している。
【０４７４】
本発明の実施形態では、図示していないが、さらなる第１の端部４２１´は、それぞれ間隔を設けており、内側の包装紙４０２は何もない中間部を有している。
【０４７５】
さらに、第２の壁４９８に、上部の外形４３１に似た、例えば、先の尖った「Ｕ」の形をした、さらなる上部の外形４３１´を規定する。
【０４７６】
さらに、内部筐体４０６は、２つの平らな斜面４３３を備えている。例えば、２つの平らな斜面４３３は、主壁４３０に対して約１３５°とするα度で傾き、２つの平らな斜面によって、主壁４３０および小さい壁４３２が接続されている。
【０４７７】
斜面４３３における、上部の外形４３１近くから、２つのウイング４９７が外側へ突き出ている。ウィング４９７は、蓋４９６へのはめ込みに適し、第４の箱４０１を閉鎖状態に維持する。
【０４７８】
さらに、内部筐体４０６は、２つのさらなる平面な斜面４３３´を備えている。例えば、２つのさらなる平らな斜面４３３´は、第２の壁４９８に対して約１３５°とするα度だけ傾けられていて、２つのさらなる平らな斜面によって、小さい壁４３２および第２の壁４９８が接続されている。
【０４７９】
さらに、内部筐体４０６は、下部の折り蓋（図示せず）を備えている。下部の折り蓋は、主壁４３０と接続されており、上部の外形４３１を補強する周囲に面する。内側の包装紙４０２の下に、下部の折り蓋が折り畳まれる。
【０４８０】
さらに、内部筐体４０６は、一対のさらなる下部の折り蓋（図示せず）を備えている。さらなる下部の折り蓋は、それぞれの第２の壁４９８と接続されている。
【０４８１】
具体的には、前述の下部の折り蓋と同様に、さらなる下部の折り蓋も、内側の包装紙４０２の下に折り畳まれ、内側の包装紙４０２が収まる。
【０４８２】
内部筐体４０６は、収納本体４０３の内側に配置され、側壁４１０および／または後部壁４０９において、収納本体３０３に取り付けられる。
【０４８３】
具体的には、後部壁４０９と、主壁４３０および／または側壁４１０と、対応する小さい壁４３２を粘着させた方法によって、後部壁４０９の内面および／または側壁４１０の内面における１箇所以上で糊付けされているかもしれない。
【０４８４】
上記によって、内側の包装紙４０２の周囲で、内部筐体４０６を閉鎖状態に維持することができる。
【０４８５】
また、通常のタバコの箱として、第４の箱４０１を使用できるかもしれない。
【０４８６】
したがって、従来の箱と同じように、喫煙者は、蓋４９６をヒンジ４０５の周りに回転させる事によって、第４の箱４０１を開封し、タバコを取り出すことができるかもしれない。喫煙者は、タバコを取り出した後、蓋４９６がウイング４９７とかみあうまで、蓋４９６をヒンジ４０５の周りに回転させ、第４の箱４０１を閉じる。
【０４８７】
かわりに、喫煙者は、蓋４９６をヒンジ４０５の周りに回転させ、主本体４９２をさらなるヒンジ４０５´の周りに回転させる事によって、第４の箱４０１を開封し、タバコを取り出すことができるかもしれない。
【０４８８】
喫煙者は、タバコを取り出した後、蓋４９６がウイング４９７とかみあうまで、主本体４９２をさらなるヒンジ４０５´の周りに回転させ、蓋４９６をヒンジ４０５の周りに回転させ、第４の箱４０１を閉じる。
【０４８９】
上記で示した通り、第４の箱４０１を開けた時、喫煙者は、固定部４２０の上、および第２の壁４９８の上の印刷領域は、喫煙者にとって見やすいということに注目しなければならない。このようにして、喫煙者は、印刷領域内の文章を読み、絵に着眼する。
【０４９０】
上記によって、第４の箱４０１のカスタマイズが可能になり、消費者に対する情報伝達に使用できるスペースの拡大が可能になる。
【０４９１】
実際に、従来の箱で使用してきた、収納本体４０３、および閉鎖本体４０４の外面だけでなく、第４の箱４０１の内側に設けられた印刷領域もまた、消費者に対する情報伝達および考えられるメッセージの広告の印刷に使用できる。
【０４９２】
平面なブランク４３５を折って、収納本体４０３および閉鎖本体４０４を組み立てる。例えば、ブランク４３５は厚紙を原料とし、第４の縦の対称軸Ｘ４に沿って展開する。
【０４９３】
図４７に示した通り、ブランク４３５は、収納本体４０３の形成を目的としている第１の部分４３６、および閉鎖本体４０４の形成を目的としている第２の部分４３７を備えている。
【０４９４】
第１の部分４３６および第２の部分４３７を、第４の箱４０１におけるさらなるヒンジ４０５´の形成を目的としている、折り畳まれることを目的としている線４３８´に沿ってつなぐ。
【０４９５】
折り畳まれることを目的としている線４３８´は、折り目を含んでもいいし、連結させた点によって離れた、多数の切込みを含んでもいい。
【０４９６】
ブランク４３５は、収納本体４０３の後部壁４０９の形成を目的としている第１のメインパネル４３９を備えている。
【０４９７】
第１のメインパネル４３９の先端に、第１の横パネル４４０と第２の横パネル４４１が設けられており、すなわち第２の横パネル４４１、第１の横パネル４４０、および第１のメインパネル４３９の順に、第４の対称軸Ｘ４に沿って設けられているということである。
【０４９８】
第１の横パネル４４０が、収納本体４０３の基底壁４０７の形成を目的としており、第２の横パネル４４１が、収納本体４０３の前部壁４０８の形成を目的としている。
【０４９９】
第２の横パネル４４１は、閉鎖本体４０４のさらなる前面４８７の形成を目的としている第２のメインパネル４４３と接続されており、第２の横パネル４４１と第２のメインパネル４４３との間に、上述の折り畳まれることを目的としている線４３８´が設けられている。
【０５００】
第２のメインパネル４４３は、蓋４９６の上面４１４の形成を目的とする第３の横パネル４４２と接続されている。第２のメインパネル４４３と第３の横パネル４４２との間に、蓋４９６の前面４１５の形成を目的とする第４の横パネル４７７が挿入されている。
【０５０１】
第２のメインパネル４４３と第４の横パネル４７７との間に、事前にいれたさらなる折り線４３８が設けられている。折り畳まれることを目的としている線４３８は、第４の箱４０１のヒンジ４０５の形成を目的としている。
【０５０２】
折り畳まれることを目的としている線４３８は、折り目を含んでもいいし、連結させた点によって離れた、多数の切込みを含んでもいい。
【０５０３】
第３の横パネル４４２は、第５の横パネル４７７´と接続されている。
【０５０４】
蓋４９６の後部面４１５´の形成を目的としている、第５の横パネル４７７´は、次に補強のウイング４４４と接続されている。補強のウイング４４４は、１８０°に折り畳むと、蓋３９６の部分を補強することができ、また後部面４１５´の形成を目的とするように設けられている。
【０５０５】
補強のウイング４４４と第５の横パネル４７７´、第５の横パネル４７７´と第３の横パネル４４２、第３の横パネル４４２と第４の横パネル４７７、第１の横パネル４４０と第２の横パネル４４１、第１のメインパネル３３９と第１の横パネル４４０は、第４の対称軸Ｘ４を横切って、具体的には第４の対称軸Ｘ４に対して垂直に設けられているそれぞれの横の折り目４４５に沿って接続されている。さらに、ブランク４３５は、１対の中間パネル４８０を備えている。１対の中間パネル４８０は、第２のメインパネル４４３の両側に設けられており、主本体４９２のさらなる伸長部４８６の形成を目的としている。本発明の実施形態では、図示していないが、中間パネル４８０は切込み線を備えている。切込み線は、第４の対称軸Ｘ４と実質的に平行しており、それぞれ隣接していて、中間パネル４８０の折り畳みを容易にするように設けられている。
【０５０６】
さらに、ブランク４３５は、１対の第１の内側パネル４４６を備えている。１対の第１の内側パネル４４６は、中間パネル４８０の両側に設けられており、閉鎖本体４０４の硬化部４２４の形成を目的としている。
【０５０７】
中間パネル４８０と第１の内側パネル４４６との間には、第１の縦の折り目４５０が設けられており、中間パネル４８０と第２のメインパネル４４３のとの間には、さらなる第１の縦の折り目４５０´が設けられている。第１の縦の折り目４５０、およびさらなる第１の縦の折り目４５０´は、第４の対称軸Ｘ４と実質的に平行して伸びている。
【０５０８】
さらに、ブランク４３５は、１対の第１の外側パネル４４９を備えている。１対の第１の外側パネル４４９は、第１の内側パネル４４６の両側に設けられており、第２の縦の折り目４５２によって、１対の第１の外側パネル４４９と第１の内側パネル４４６とが分かれる。第２の縦の折り目４５２は、第４の対称軸Ｘ４と実質的に平行して伸びている。また、第１の外側パネル４４９は、硬化部４２０の形成を目的としている。
【０５０９】
この方法では、第１の縦の折り目４５０と第２の縦の折り目４５２は、第１の内側パネル４４６と隣接している。
【０５１０】
パネル４４７は、第５の横パネル４７７´の両側に突き出ており、蓋４９６の拡張部４５３の形成を目的としている。
【０５１１】
具体的には、パネル４４７と、第５の横パネル４７７´との間には、さらなる中間パネル４９３が設けられている。中間パネル４９３は、側面４１６の伸長部４５４の形成を目的としている。第５の横パネル４７７´と、さらなる中間パネル４９３との間、さらなる中間パネル４９３と、パネル４４７との間に、第４の対称軸Ｘ４と実質的に平行して伸びている、さらなる第２の縦の折り目４５２´が設けられている。
【０５１２】
本発明の実施形態では、図示していないが、さらなる中間パネル４９３は、さらなる切込み線を備えている。さらなる切込み線は、第４の対称軸Ｘ４と実質的に平行しており、それぞれ隣接していて、さらなる中間パネル４９３の折り畳みを容易にするように設けられている。
【０５１３】
第１のウイング４５５は、第４の横パネル４７７の両側に突き出ており、第４の横パネル４７７の内側へ折り畳み、パネル４４７と糊付けされ、拡張部４５３を補強する。
【０５１４】
具体的には、第１のウイング４５５と、第４の横パネル４４２との間に、第３の縦の折り目４５６が設けられている。おり、第３の縦の折り目４５６は、第４の対称軸Ｘ４と実質的に平行して伸びている。
【０５１５】
さらなる第１のウイング４５５´は、第１のウイング４５５と接続されており、第１のウイング４５５の内側へ折り畳み、上面４１４を補強する。
【０５１６】
さらに、ブランク４３５は、１対の第２の外側パネル４５７を備えている。１対の第２の外側パネル４５７は、第１のメインパネル４３９の両側に設けられており、収納本体４０３の側壁４１０の形成を目的とする。
【０５１７】
具体的には、第２の外側パネル４５７と、第１のメインパネル４３９との間には、接続パネル４８１が設けられており、接続パネル４８１は、平らな部分４１３の形成を目的としている。第１のメインパネル４３９と、接続パネル４８１との間、接続パネル４８１と、第２の外側パネル４５７との間に、第４の対称軸Ｘ４と実質的に平行して伸びている、さらなる第４の切込み線４５６´が設けられている。
【０５１８】
本発明の実施形態では、図示していないが、接続パネル４８１は、第２切込み線を備えている。第２切込み線は、第４の対称軸Ｘ４と実質的に平行しており、それぞれ隣接していて、接続パネル４８１の折り畳みを容易にするように設けられている。さらに、ブランク４３５は、１対の第３の外側パネル４５７´を備えている。１対の第３の外側パネル４５７´は、第２の横パネル４４１の両側に設けられており、第２の横パネル４４１の内側へ折り畳み、第２の外側パネル４５７と糊付けされ、側壁４１０を補強する。
【０５１９】
第２のウイング４５９は、第３の外側パネル４５７´の端と接続されており、第３の外側パネル４５７´の内側へ折り畳み、第１の横パネル４４０と糊付けされ、基底壁４０７を補強する。
【０５２０】
粘着性物質を得た後、従来からの折り畳み方の手順に従って、ブランク４３５を折り畳む。従来のブランクと比べた時、ブランク４３５に、追加パネルがないもののように扱う。その結果、一般の機械によるブランク４３５加工で、より頑丈なタバコの箱をつくることができるかもしれない。
【０５２１】
図４８は、内部筐体４０６を得るために使用される内部構造４６３を示す。
【０５２２】
内部構造４６３は、板紙を原料とし得る。金属シート、例えばアルミニウムなどと一体化する可能性が生じる。
【０５２３】
内部構造４６３は、リールを含むパッケージ機械によって、直ちに形成されるかもしれない。内部構造４６３における、横断する上部の輪郭４６４、および横断する下部の輪郭４６５と一致する輪郭をしたナイフで切断される。
【０５２４】
さらに、適した切り刃によって、内部構造４６３における２本の内側の弱化線４６６、２本の外側の弱化線４６７、２本の中間の弱化線４６８、２本のさらなる中間の弱化線４６８´を得ることができる。
【０５２５】
具体的には、中間の弱化線４６８は、内側の弱化線４６６と、さらなる中間の弱化線４６８´との間に挿入されており、さらなる中間の弱化線４６８´は、中間の弱化線４６８と、外側の弱化線４６７との間に挿入されている。外側の弱化線４６７は、内側の弱化線４６６の外側に設けられている。
【０５２６】
さらに、内部構造４６３における下部の範囲にて、内側の弱化線４６６、中間の弱化線４６８、さらなる中間の弱化線４６８´、外側の弱化線４６７に対して、横方向に設けられている横断する弱化線４６９を得ることができる。
【０５２７】
最後に、内部構造４６３における下部の範囲にて、内側の弱化線４６６、中間の弱化線４６８、さらなる中間の弱化線４６８´、外側の弱化線４６７に対して、横方向に設けられているさらなる横断する弱化線４９０を得ることができる。
【０５２８】
内側の弱化線４６６と、横方向に設けられている横断する弱化線４６９とに挟まれるように、第１のパネル４７０を規定する。第１のパネル４７０は、内部筐体４０６の主壁４３０の形成を目的としている。
【０５２９】
２枚の側部パネル４７１は、第１のパネル４７０の両側に設けられており、それぞれの側部パネル４７１は、内側の弱化線４６６と、中間の弱化線４６８との間に挿入されている。
【０５３０】
それぞれの側部パネル４７１は、内部筐体４０６の斜面４３３の形成を目的としている。
【０５３１】
２枚の中間パネル４７２は、側部パネル４７１の両側に設けられており、それぞれの中間パネル４７２は、中間の弱化線４６８と、さらなる中間の弱化線４６８´との間に挿入されている。
【０５３２】
それぞれの中間パネル４７２は、内部筐体４０６の小さい壁４３２の形成を目的としている。
【０５３３】
さらに、さらなる２枚の中間パネル４７１´は、中間パネル４７２の外側に設けられており、それぞれの中間パネル４７１´は、さらなる中間の弱化線４６８´と、外側の弱化線４６７との間に挿入されている。
【０５３４】
さらなる側部パネル４７１´は、内部筐体４０６のさらなる小さい壁４３３´の形成を目的としている。
【０５３５】
さらに、２枚の外側パネル４７３は、さらなる中間パネル４７１´の外側に設けられており、外側の弱化線４６７に沿って、それに対応するさらなる側部パネル４６８´およびそれぞれのパネルとが接続されている。
【０５３６】
外側パネル４７３を、内側の包装紙４０２の内側へ折り畳むことによって、第２の壁４９８の形成を目的としている。
【０５３７】
この方法では、内部構造４６３を折った後、内部筐体４０６が内部構造４６３によって４面とも囲まれることになる。
【０５３８】
横断する弱化線４６９と、横断する下部の輪郭４６５との間に、先端パネル４７４を規定する。先端パネル４７４は、内側の包装紙４０２の下へ折り畳むことに適しており、下部の折り蓋の形成を目的としている。
【０５３９】
さらに、さらなる横断する弱化線４９０と、横断する下部の輪郭４６５との間に、さらなる先端パネル４８９を規定する。さらなる先端パネル４８９は、内側の包装紙４０２の下へ折り畳むことに適しており、さらなる下部の折り蓋の形成を目的としている。
【０５４０】
最後に、内部構造４６３において、「Ｃ」の形をしたさらなる切込み４８８が２つ設けられており、切込み４８８は、ウイング４９７の形成を目的としている。
【０５４１】
パッケージ過程において、内側の包装紙４０２の周囲に、内部構造４６３を折り畳み、従来の内部構造における粘着箇所と同じ箇所で、内側の包装紙と内部構造とを粘着させる。
【０５４２】
従来の内部構造用折り畳み装置と同じような装置を使用することによって、内側の包装紙４０２の周囲に、内部構造４６３を折り畳むことができるかもしれない。
【０５４３】
内部筐体４０６の周囲に、ブランク４３５を折り畳むことによって、収納本体４０３および閉鎖本体４０４を組み立てる。
【０５４４】
従来の機械と比べ大差ないパッケージ機械を使用することによって、第４の箱４０１をも製造できる点は、上記に示した内容によって明白である。
【０５４５】
本発明によると、従来の箱の閉鎖本体に比べ、頑丈になった閉鎖本体１０４、２０４、３０４、４０４を有している箱１０１、１０１ａ−ｅ、２０１、３０１、４０１を得られることを言及すべきである。
【０５４６】
実際、固定部１２０、２２０、３２０、４２０（具体的には、前面１１５、２１５、３１５、４１５の内面１１９、２１９、３１９、４１９と糊付けされ、固定された部分）は、対照をなす。側面１１６、２１６、３８９、４８９が外側へ曲がるという問題をかなり解決し、実質的に側面１１６、２１６、３８９、４８９を直線状態に維持する。さらに、側面１１６、２１６、３８９、４８９は頑丈なため、美的な好ましさを有している箱１０１、１０１ａ−ｅ、２０１、３０１、４０１へ、また、扱いやすい閉鎖本体１０４、２０４、３０４、４０４へ、の改善がみられる。
【０５４７】
また、側面１１６、２１６、３８９、４８９は、従来の箱の側面に比べ頑丈なため、前面１１５、２１５、３１５、４１５は、従来の箱と比べ、広さを確保できる。上記によって、消費者に対する情報伝達（例えば、メッセージの広告など）に使用可能な面を拡大させることができる。
【０５４８】
具体的には、上記メッセージを、固定部１２０、２２０、３２０、４２０、先端部１１８、主壁１３０、２３０、３３０、第２の壁４９８にあらかじめ印刷してもよい。
なお、本願の関連として、実質的に直方体の形状を有しており、長軸（Ｚ２）に沿って伸びており、煙草製品を少なくとも部分的に収納する収納本体（２０３）と、閉鎖本体（２０４）とを備えており、上記閉鎖本体は、ヒンジ（２０５）によって、上記収納本体（２０３）に接続されており、上記煙草製品へのアクセスを防止するか、または可能にするために、閉鎖位置と開放位置との間で可動であり、上記収納本体（２０３）は、基底壁と、後部壁とを含んでおり、上記閉鎖本体（２０４）は、前面（２１５）と、内面（２１９）とを含んでいる煙草製品用の箱（２０１）であって、
上記ヒンジ（２０５）は、上記閉鎖本体（２０４）の上記前面（２１５）と、上記収納本体（２０３）の上記基底壁との間に規定されており、上記前面（２１５）と、上記閉鎖本体（２０４）の上記内面（２１９）との双方は、上記後部壁と実質的に同じ長さを有しており、上記閉鎖本体（２０４）が上記開放位置にあるときに、上記箱（２０１）の可視面が増大されることを特徴としている煙草製品用の箱（２０１）、がある。
【図面の簡単な説明】
【０５４９】
【図１】本発明による、煙草製品用の箱の第１の例を開封配置にして、正面から見た透視図である。
【図２】図１の箱を閉鎖配置にして、正面から見た透視図である。
【図３】図１の箱を開封配置にした側面図である。
【図４】図１の箱における閉鎖本体の断面を拡大した時の細部である。
【図５】図４における細部の別の変形である。
【図６】図４における細部のさらに別の変形である。
【図７】図１の箱を得るためのブランクの平面図である。
【図８】図１の箱における内部筐体を得るための内部構造の平面図である。
【図９】図１の箱の第１の変形を図１と同じように示した図である。
【図１０】図９を拡大した時の細部である。
【図１１】図９の箱を得るためのブランクの平面図である。
【図１２】図１の箱の第２の変形を図１と同じように示した図である。
【図１３】図１２の箱を図２と同じように示した図である。
【図１４】図１の箱の第３の変形を図３と同じように示した図である。
【図１５】図１２の箱を得るためのブランクの平面図である。
【図１６】図１４の箱を図１と同じように示した図である。
【図１７】図１４の箱を得るためのブランクの平面図である。
【図１８】図１の箱の第４の変形を図１と同じように示した図である。
【図１９】図１８の箱を図３と同じように示した図である。
【図１９ｂｉｓ】図１８の箱を閉鎖配置にした側面図である。
【図２０】図１の箱の第５の変形を図３と同じように示した図である。
【図２１】本発明による箱の第２の例を、図１と同じように示した図である。
【図２２】図２１の箱を、図２と同じように示した図である。
【図２３】図２１の箱における閉鎖本体の断面を拡大した時の細部である。
【図２４】図２３の細部のさらに別の変形である。
【図２５】図２３の細部のさらに別の変形である。
【図２６】図２１の箱における内部筐体の透視図である。
【図２７】図２１の箱における内部筐体の透視図である。
【図２８】図２１の箱における内部筐体の透視図である。
【図２９】図２１の箱を得るためのブランクを、図７と同じように示した図である。
【図３０】図２６〜図２８の箱における内部筐体を得るための内部構造を、図８と同じように示した図である。
【図３１】本発明による箱の第３の例を、図２と同じように示した図である。
【図３２】図３１の箱を閉鎖配置にした側面図である。
【図３３】図３１の箱を、図１と同じように示した図である。
【図３４】図３１の箱に含まれる主要部の断面である。
【図３５】図３１の箱の第１の断面である。
【図３６】図３５を拡大した時の細部である。
【図３７】図３１の箱の第２の断面である。
【図３８】図３７を拡大した時の細部である。
【図３９】図３１の箱を得るためのブランクを、図７と同じように示した図である。
【図４０】図３１の箱における内部筐体を得るための内部構造を、図８と同じように示した図である。
【図４１】本発明による箱の第４の例を、図１と同じように示した図である。
【図４２】図４１の箱を図３と同じように示した図である。
【図４３】図４１の箱の透視図である。
【図４４】図４１の箱の透視図である。
【図４５】図４１の箱の透視図である。
【図４６】図４１の箱を閉鎖配置にした側面図である。
【図４７】図４１の箱を得るためのブランクを、図７と同じように示した図である。
【図４８】図４１の箱における内部筐体を得るための内部構造を、図８と同じように示した図である。
【図１】
0005463556.tif 000002
【図２】
0005463556.tif 000003
【図３】
0005463556.tif 000004
【図４】
0005463556.tif 000005
【図５】
0005463556.tif 000006
【図６】
0005463556.tif 000007
【図７】
0005463556.tif 000008
【図８】
0005463556.tif 000009
【図９】
0005463556.tif 000010
【図１０】
0005463556.tif 000011
【図１１】
0005463556.tif 000012
【図１２】
0005463556.tif 000013
【図１３】
0005463556.tif 000014
【図１４】
0005463556.tif 000015
【図１５】
0005463556.tif 000016
【図１６】
0005463556.tif 000017
【図１７】
0005463556.tif 000018
【図１８】
0005463556.tif 000019
【図１９】
0005463556.tif 000020
【図１９ｂｉｓ】
0005463556.tif 000021
【図２０】
0005463556.tif 000022
【図２１】
0005463556.tif 000023
【図２２】
0005463556.tif 000024
【図２３】
0005463556.tif 000025
【図２４】
0005463556.tif 000026
【図２５】
0005463556.tif 000027
【図２６】
0005463556.tif 000028
【図２７】
0005463556.tif 000029
【図２８】
0005463556.tif 000030
【図２９】
0005463556.tif 000031
【図３０】
0005463556.tif 000032
【図３１】
0005463556.tif 000033
【図３２】
0005463556.tif 000034
【図３３】
0005463556.tif 000035
【図３４】
0005463556.tif 000036
【図３５】
0005463556.tif 000037
【図３６】
0005463556.tif 000038
【図３７】
0005463556.tif 000039
【図３８】
0005463556.tif 000040
【図３９】
0005463556.tif 000041
【図４０】
0005463556.tif 000042
【図４１】
0005463556.tif 000043
【図４２】
0005463556.tif 000044
【図４３】
0005463556.tif 000045
【図４４】
0005463556.tif 000046
【図４５】
0005463556.tif 000047
【図４６】
0005463556.tif 000048
【図４７】
0005463556.tif 000049
【図４８】
0005463556.tif 000050